(57)【要約】【課題】同報送信の送信先を表す送信先情報を含む送信レポート情報を、全ての送信先に通知する。【解決手段】本発明に係る画像形成装置１は、ファクシミリ通信部２０１及びネットワーク通信部３０１を備える。ファクシミリ通信部２０１は、公衆電話回線２を介して画像情報をページ単位で送信先のファクシミリ装置４に送信する。ネットワーク通信部３０１は、ネットワーク３を介して画像情報をファイルで送信先の情報処理装置５に送信する。その上で、送信処理部１０３は、ファクシミリ通信部２０１及びネットワーク通信部３０１の少なくとも一方によって、同一の画像情報を複数の送信先に一度に送信する同報送信処理を行う。さらに、送信レポート通知部１０４は、同報送信処理に係る各送信先を表す送信先情報を含む送信レポート情報を、当該各送信先の全てに通知する。【選択図】図２
2018056987.tif 000002
【特許請求の範囲】
【請求項１】
公衆電話回線を介して画像情報をページ単位で送信先のファクシミリ装置に送信するファクシミリ送信手段、
ネットワークを介して画像情報をファイルで送信先の情報処理装置に送信するネットワーク送信手段、
前記ファクシミリ送信手段と前記ネットワーク送信手段との少なくとも一方によって、同一の画像情報を複数の送信先に一度に送信する同報送信処理を行う同報送信手段、及び
前記同報送信処理に係る前記複数の送信先を表す送信先情報を含む送信レポート情報を当該複数の送信先に通知する送信レポート通知手段を備える、画像処理装置。
【請求項２】
前記送信レポート通知手段は、前記送信先が複数であるかどうかを判定し、複数である場合に前記送信レポート情報を通知する、請求項１に記載の画像処理装置。
【請求項３】
原稿の画像を読み取る読取手段をさらに備え、
前記同報送信手段は、前記読取手段によって読み取られた原稿画像の情報を前記画像情報として送信する、請求項１又は２に記載の画像処理装置。
【請求項４】
前記ネットワーク送信手段は、前記読取手段によって読み取られた原稿画像の情報を電子メールに添付して送信する電子メール送信手段と、当該読取手段によって読み取られた原稿画像の情報を前記情報処理装置のフォルダに送信するスキャナ送信手段とを含む、請求項３に記載の画像処理装置。
【請求項５】
前記送信レポート通知手段は、前記同報送信処理に際して指定された前記複数の送信先を表す前記送信先情報を含む送信予約表の情報を前記送信レポート情報として作成する送信予約表作成手段を有し、当該送信レポート情報を前記画像情報と共に前記同報送信手段によって送信させることで通知を行う、請求項１〜４のいずれかに記載の画像処理装置。
【請求項６】
前記送信レポート通知手段は、前記同報送信処理による前記画像情報の送信が行われた前記複数の送信先を表す前記送信先情報を含む送信結果表の情報を前記送信レポート情報として作成する送信結果表作成手段を有し、当該送信レポート情報を前記送信先に送信することで通知を行う、請求項１〜４のいずれかに記載の画像処理装置。
【請求項７】
前記送信レポート通知手段は、前記同報送信処理による前記画像情報の送信が行われた前記複数の送信先を表す前記送信先情報を含む送信結果表の情報を前記送信レポート情報として作成する送信結果表作成手段と、当該送信レポート情報を格納する記憶手段と、当該記憶手段における当該送信レポート情報の格納先を表す格納情報を前記送信先に報知する報知手段とを有し、当該格納情報の報知に対する当該送信先からの閲覧要求に応答して、当該記憶手段に格納されている当該送信レポート情報を当該閲覧要求のあった当該送信先に送信することで通知を行う、請求項１〜４のいずれかに記載の画像処理装置。
【請求項８】
前記送信結果表の情報は、各送信先に対する前記画像情報の送信成否の結果情報を含む、請求項６又は７に記載の画像処理装置。
【請求項９】
公衆電話回線を介して画像情報をページ単位で送信先のファクシミリ装置に送信するファクシミリ送信手段と、ネットワークを介して画像情報をファイルで送信先の情報処理装置に送信するネットワーク送信手段とを有する画像処理装置用の情報送信制御プログラムであって、
前記画像処理装置のコンピュータを、
前記ファクシミリ送信手段と前記ネットワーク送信手段との少なくとも一方によって、同一の画像情報を複数の送信先に一度に送信する同報送信処理を行う同報送信手段、及び
前記同報送信処理に係る前記複数の送信先を表す送信先情報を含む送信レポート情報を当該複数の送信先に通知する送信レポート通知手段として機能させる、情報送信制御プログラム。
【請求項１０】
同一の送信対象情報を複数の送信先に一度に送信する同報送信処理を行う同報送信手段、及び
前記複数の送信先を表す送信先情報を含む送信レポート情報を当該複数の送信先のうち予め定められた条件に合致する特定送信先にのみ通知する送信レポート通知手段を備える、情報送信制御装置。
【請求項１１】
第１のユーザ操作に応じて前記送信対象情報の属性を設定する第１設定手段、及び
前記条件として、前記複数の送信先のそれぞれについてどのような前記属性の前記送信対象情報に係る前記送信レポート情報に対して通知の対象となるのかを、第２のユーザ操作に応じて設定する第２設定手段をさらに備える、請求項１０に記載の情報送信制御装置。
【請求項１２】
前記属性は、前記送信対象情報の優先度を含む、請求項１１に記載の情報送信制御装置。
【請求項１３】
前記送信レポート通知手段は、複数の態様で前記送信レポート情報を通知し、
前記第２設定手段は、前記複数の態様のそれぞれについて設定を行う、請求項１１又は１２に記載の情報送信制御装置。
【請求項１４】
前記送信レポート通知手段は、複数の態様で前記送信レポート情報を通知し、
前記条件として、前記複数の送信先のそれぞれについてどのような前記態様の前記送信レポート情報に対して通知の対象となるのかを、第３のユーザ操作に応じて設定する第３設定手段をさらに備える、請求項１０に記載の情報送信制御装置。
【請求項１５】
前記複数の態様は、前記同報送信処理に際して指定された前記複数の送信先を表す前記送信先情報を含む送信予約情報を前記送信レポート情報として当該同報送信処理時に前記送信対象情報と一緒に前記特定送信先へ送信することで通知を行う第１態様と、前記同報送信処理による前記送信対象情報の送信が行われた前記複数の送信先を表す前記送信先情報を含む送信結果情報を前記送信レポート情報として当該同報送信処理が行われた後に前記特定送信先へ送信することで通知を行う第２態様とを含む、請求項１３又は１４に記載の情報送信制御装置。
【請求項１６】
前記送信結果情報は、前記同報送信処理による前記複数の送信先のそれぞれに対する前記送信対象情報の送信結果に係る結果情報を含む、請求項１５に記載の情報送信制御装置。
【請求項１７】
前記送信予約情報を格納する第１記憶手段をさらに備え、
前記複数の態様は、前記送信予約情報の格納先を表す第１格納情報を前記特定送信先へ報知すると共に当該第１格納情報の報知に対して当該特定送信先から受ける第１閲覧要求に応答して当該送信予約情報を前記送信レポート情報として当該特定送信先へ送信することで通知を行う第３態様をさらに含む、請求項１５又は１６に記載の情報送信制御装置。
【請求項１８】
前記送信結果情報を格納する第２記憶手段をさらに備え、
前記複数の態様は、前記送信結果情報の格納先を表す第２格納情報を前記特定送信先へ報知すると共に当該第２格納情報の報知に対して当該特定送信先から受ける第２閲覧要求に応答して当該送信結果情報を前記送信レポート情報として当該特定送信先へ送信することで通知を行う第４態様をさらに含む、請求項１５〜１７のいずれかに記載の情報送信制御装置。
【請求項１９】
請求項１０〜１８のいずれかに記載の情報送信制御装置、及び原稿の画像を読み取る画像読取処理を行う読取手段を備える画像処理装置であって、
前記同報送信手段は、前記画像読取処理によって得られた画像情報を前記送信対象情報として前記同報送信処理を行う、画像処理装置。
【請求項２０】
送信対象情報を複数の送信先に送信する情報送信機能を有する情報送信制御装置用のプログラムであって、
前記情報送信制御装置のコンピュータを、
同一の前記送信対象情報を前記複数の送信先に一度に送信する同報送信処理を行う同報送信手段、及び
前記複数の送信先を表す送信先情報を含む送信レポート情報を当該複数の送信先のうち予め定められた条件に合致する特定送信先にのみ通知する送信レポート通知手段として機能させる、情報送信制御プログラム。
【請求項２１】
同一の送信対象情報を複数の送信先に一度に送信する同報送信処理を行う同報送信ステップ、及び
前記複数の送信先を表す送信先情報を含む送信レポート情報を当該複数の送信先のうち予め定められた条件に合致する特定送信先にのみ通知する送信レポート通知ステップを備える、情報送信制御方法。
【発明の詳細な説明】
【技術分野】
【０００１】
本発明は、情報送信制御装置、画像処理装置、情報送信制御プログラム及び情報送信制御方法に関し、特に、画像情報などの送信対象情報を複数の送信先に一度に送信する同報送信を行う、情報送信制御装置、画像処理装置、情報送信制御プログラム及び情報送信制御方法に関する。
【背景技術】
【０００２】
従来、読取手段で読み取った原稿の画像をファクシミリ送信とメール送信とによって同報送信するようにしたファクシミリ通信システムが提案されている（例えば特許文献１）。さらに、特許文献１に記載のファクシミリ通信システムは、ファクシミリ送信とメール送信との送信結果を集約して送信レポートを作成する送信レポート作成手段を備えている。これによって、オペレータは、メール送信手段により送信されたメールの各宛先の送信結果と、ファクシミリの各宛先の送信結果とを含んだ送信レポートを得ることができる。また、このファクシミリ通信システムは、送信レポートを所定のプリンタへ転送し、その転送先のプリンタで当該送信レポートをプリント可能にしている。
【先行技術文献】
【特許文献】
【０００３】
【特許文献１】特開２００３−７８７０４号公報
【発明の概要】
【発明が解決しようとする課題】
【０００４】
ところで、特許文献１に記載のファクシミリ通信システムは、同報送信を行った送信元及び送信レポートの転送先として指定されたプリンタで当該送信レポートをプリント可能にしたものである。このため、送信レポートは、送信元のオペレータ及び当該送信レポートの転送先として指定されたプリンタ側のみでの確認用として供されるに止まるものであった。
【０００５】
本発明は、このような課題に鑑みてなされたものであり、同報送信の送信先を表す送信先情報を含む送信レポート情報を、当該同報送信の全ての送信先に通知することができ、又は予め定められた条件に合致する特定送信先にのみ通知することができる、情報送信制御装置、画像処理装置、情報送信制御プログラム及び情報送信制御方法を提供することを目的とする。
【課題を解決するための手段】
【０００６】
本発明のうちの第１の発明は、画像処理装置に係る発明であって、ファクシミリ送信手段、ネットワーク送信手段、同報送信手段及び送信レポート通知手段を備える。このうちのファクシミリ送信手段は、公衆電話回線を介して画像情報をページ単位で送信先のファクシミリ装置に送信する。ネットワーク送信手段は、ネットワークを介して画像情報をファイルで送信先の情報処理装置に送信する。その上で、同報送信手段は、ファクシミリ送信手段とネットワーク送信手段との少なくとも一方によって、同一の画像情報を複数の送信先に一度に送信する同報送信処理を行う。そして、送信レポート通知手段は、この同報送信処理に係る複数の送信先を表す送信先情報を含む送信レポート情報を、当該複数の送信先に通知する。
【０００７】
本発明のうちの第２の発明は、画像処理装置用の情報送信制御プログラムに係る発明であって、当該画像処理装置のコンピュータを、同報送信手段及び送信レポート通知手段として機能させる。ここで、画像処理装置は、ファクシミリ送信手段とネットワーク送信手段とを有する。ファクシミリ送信手段は、公衆電話回線を介して画像情報をページ単位で送信先のファクシミリ装置に送信する。ネットワーク送信手段は、ネットワークを介して画像情報をファイルで送信先の情報処理装置に送信する。その上で、同報処理手段は、ファクシミリ送信手段とネットワーク送信手段との少なくとも一方によって、同一の画像情報を複数の送信先に一度に送信する同報送信処理を行う。そして、送信レポート通知手段は、この同報送信処理に係る複数の送信先を表す送信先情報を含む送信レポート情報を、当該複数の送信先に通知する。
【０００８】
これら第１の発明及び第２の発明によれば、ファクシミリ送信手段とネットワーク送信手段との少なくとも一方によって、同一の画像情報が複数の送信先に一度に送信され、つまり同報送信される。そして、この同報送信の送信先を表す送信先情報を含む送信レポート情報が、各送信先に通知される。即ち、送信先情報を含む送信レポート情報が、全ての送信先に通知される。従って、それぞれの送信先では、同一の画像情報が送信された他の送信先を知ることができる。これによれば、例えば、それぞれの送信先において、他の送信先との間で画像情報を参照するなどしながら、円滑、効果的な情報交換を行うことが可能となる。なお、画像情報とは、視認可能な各種の情報をいう。
【０００９】
なお、送信レポート通知手段は、送信先が複数であるかどうかを判定し、複数である場合に、送信レポート情報を通知するものであってもよい。この構成によれば、送信先が複数である場合に、送信レポート情報が通知される。
【００１０】
また、本第１の発明及び第２の発明においては、原稿の画像を読み取る読取手段が、さらに備えられてもよい。この場合、同報送信手段は、読取手段によって読み取られた原稿画像の情報を、画像情報として送信する。この構成によれば、読取手段によって読み取られた新しい原稿画像の情報が、画像情報として各送信先に同報送信される。この場合も、それぞれの送信先では、他の送信先を知ることができる。
【００１１】
さらに、ネットワーク送信手段は、電子メール送信手段とスキャナ送信手段とを含むものであってもよい。ここで、電子メール送信手段は、読取手段によって読み取られた原稿画像の情報を電子メールに添付して送信する。そして、スキャナ送信手段は、読取手段によって読み取られた原稿画像の情報を情報処理装置のフォルダに送信する。この構成によれば、同報送信は、ファクシミリ送信手段、電子メール送信手段及びスキャナ送信手段によって、個々に又は混合して行われるので、利便性が向上する。
【００１２】
加えて、送信レポート通知手段は、送信予約表作成手段を有するものであってもよい。ここで、送信予約表作成手段は、同報送信処理に際して指定された各送信先を表す送信先情報を含む送信予約表の情報を送信レポート情報として作成する。そして、送信レポート通知手段は、この送信レポート情報を画像情報と共に同報送信手段によって送信させることで、通知を行う。この構成によれば、それぞれの送信先においては、画像情報を受信すると同時に、他の送信先を知ることができる。
【００１３】
また、送信レポート通知手段は、送信結果表作成手段を有するものであってもよい。ここで、送信結果表作成手段は、同報送信処理による画像情報の送信が行われた各送信先を表す送信先情報を含む送信結果表の情報を送信レポート情報として作成する。そして、送信レポート通知手段は、この送信レポート情報を送信先に送信することで、通知を行う。この構成によれば、それぞれの送信先において、画像情報を受信した後に、他の送信先を知ることができる。
【００１４】
さらに、送信レポート通知手段は、送信結果作成手段と、記憶手段と、報知手段とを有するものであってもよい。ここで、送信結果作成手段は、同報送信処理による画像情報の送信が行われた各送信先を表す送信先情報を含む送信結果表の情報を送信レポート情報として作成する。そして、記憶手段は、この送信レポート情報を格納する。報知手段は、記憶手段における送信レポート情報の格納先を表す格納情報を送信先に報知する。その上で、送信レポート通知手段は、当該格納情報の報知に対する送信先からの閲覧要求に応答して、記憶手段に格納されている送信レポート情報を閲覧要求のあった送信先に送信することで、通知を行う。この構成によれば、全ての送信先に対して一律に送信レポート情報が通知されるのではなく、閲覧要求のあった送信先に対してのみ当該送信レポート情報が通知される。従って、個々の送信先においては、種々の事情により他の送信先を知りたい場合に、閲覧要求をすることで、当該他の送信先を知ることができる。
【００１５】
前述の送信結果表の情報は、各送信先に対する画像情報の送信成否の結果情報を含むものであってもよい。この構成によれば、それぞれの送信先において、各送信先に対する画像情報の送信成否の結果情報を知ることができる。従って例えば、画像情報の送信が成功であった送信先から、当該画像情報の送信が失敗であった送信先に対して、当該画像情報を迂回送信するなどの、迅速な対応が可能となる。
【００１６】
本発明のうちの第３の発明は、情報送信制御装置に係る発明であって、同報送信手段、及び送信レポート通知手段を備える。このうちの同報送信手段は、同一の送信対象情報を複数の送信先に一度に送信する同報送信処理を行う。そして、送信レポート通知手段は、複数の送信先を表す送信先情報を含む送信レポート情報を、当該複数の送信先のうち予め定められた条件に合致する特定送信先にのみ通知する。
【００１７】
このような本第３の発明によれば、同報送信手段による同報送信処理が行われることによって、同一の送信対象情報が複数の送信先に一度に送信され、つまり同報送信が行われる。併せて、送信レポート通知手段によって、同報送信に係る複数の送信先を表す送信先情報を含む送信レポート情報が、当該複数の送信先のうちの予め定められた条件に合致する特定送信先にのみ通知される。
【００１８】
なお、本第３の発明においては、第１設定手段、及び第２設定手段がさらに備えられてもよい。このうちの第１設定手段は、第１のユーザ操作に応じて、送信対象情報の属性を設定する。そして、第２設定手段は、前述の条件として、それぞれの送信先について、つまりそれぞれの送信先ごとに、どのような属性の送信対象情報に係る送信レポート情報に対して通知の対象となるのかを、第２のユーザ操作に応じて設定する。この構成によれば、送信対象情報の属性に基づいて、送信レポート情報の通知の対象となる送信先が特定され、つまり特定送信先が決まる。
【００１９】
ここで言う送信対象情報の属性は、当該送信対象情報の優先度（言い換えれば重要度）を含むものであってもよい。この構成によれば、送信対象情報の優先度に基づいて、特定送信先が決まる。
【００２０】
また、本第３の発明における送信レポート通知手段は、複数の態様で送信レポート情報を通知するものであってもよい。この場合、第２設定手段は、これら複数の態様、言わば複数の通知態様、のそれぞれについて、設定を行うものとする。
【００２１】
ここで言う複数の通知態様は、例えば第１態様と第２態様とを含む。このうちの第１態様は、同報送信処理に際して指定された各送信先を表す送信先情報を含む送信予約情報を、送信レポート情報として、当該同報送信処理時に送信対象情報と一緒に特定送信先へ送信することで、通知を行う態様である。この第１態様によれば、送信レポート情報としての送信予約情報の通知を受けた特定送信先においては、送信対象情報を受信すると同時に、同報送信に係る他の送信先を知ることができる。一方、第２態様は、同報送信処理による送信対象情報の送信が行われた各送信先を表す送信先情報を含む送信結果情報を、送信レポート情報として、当該同報送信処理が行われた後に特定送信先へ送信することで、通知を行う態様である。この第２態様によれば、送信レポート情報としての送信結果情報の通知を受けた特定送信先においては、送信対象情報を受信した後に、同報送信に係る他の送信先を知ることができる。
【００２２】
さらに、前述の送信結果情報は、同報送信処理によるそれぞれの送信先に対する送信対象情報の送信結果に係る結果情報を含むものであってもよい。この構成によれば、送信結果情報の通知を受けた特定送信先においては、それぞれの送信先に対する送信対象情報の送信結果に係る結果情報を知ることができ、例えば当該送信結果の成否を知ることができる。
【００２３】
加えて、前述の複数の通知態様は、第３態様をさらに含んでもよい。この場合、送信予約情報を格納する第１記憶手段が、さらに備えられる。その上で、第３態様では、送信予約情報の格納先を表す第１格納情報が特定送信先へ報知されると共に、この第１格納情報の報知に対して当該特定送信先から受ける第１閲覧要求に応答して当該送信予約情報が送信レポート情報として当該特定送信先へ送信されることで、通知が行われる。この第３態様によれば、特定送信先においては、第１格納情報の報知を受けることで、送信予約情報の格納先を知ることができる。そして、特定送信先においては、第１格納情報の報知に対して第１閲覧要求を発することで、送信予約情報の通知を受けることができる。従って例えば、特定送信先においては、必要な場合にのみ、送信レポート情報としての送信予約情報の通知を受けることができる。
【００２４】
また、前述の複数の通知態様は、第４態様をさらに含んでもよい。この場合、送信結果情報を格納する第２記憶手段が、さらに備えられる。その上で、第４態様では、送信結果情報の格納先を表す第２格納情報が特定送信先へ報知されると共に、この第２格納情報の報知に対して当該特定送信先から受ける第２閲覧要求に応答して当該送信結果情報が送信レポート情報として当該特定送信先へ送信されることで、通知が行われる。この第４態様によれば、特定送信先においては、第２格納情報の報知を受けることで、送信結果情報の格納先を知ることができる。そして、特定送信先においては、第２格納情報の報知に対して第２閲覧要求を発することで、送信結果情報の通知を受けることができる。従って例えば、特定送信先においては、必要な場合にのみ、送信レポート情報としての送信結果情報の通知を受けることができる。
【００２５】
このように複数の通知態様がある場合には、送信対象情報の属性に基づいて、特定送信先が決められるのではなく、送信レポート情報の当該通知態様に基づいて、特定送信先が決められてもよい。具体的には、前述の第１設定手段、及び第２設定手段に代えて、第３設定手段が備えられてもよい。この第３設定手段は、前述の条件として、それぞれの送信先について、どのような通知態様の送信レポート情報に対して通知の対象となるのかを、第３のユーザ操作に応じて設定する。この構成によれば、送信レポート情報の通知態様に基づいて、特定送信先が決まる。
【００２６】
本発明のうちの第４の発明は、第３の発明の情報送信制御装置を備える画像処理装置に係る発明であって、読取手段を、さらに備える。この読取手段は、原稿の画像を読み取る画像読取処理を行う。そして、同報送信手段は、この画像読取処理によって得られた画像情報を送信対象情報として同報送信処理を行う。
【００２７】
本第４の発明によれば、読取手段による画像読取処理によって得られた画像情報が、送信対象情報として同報送信処理に供され、つまり複数の送信先に一度に送信される。このような本第４の発明においても、第３の発明と同様、複数の送信先のうち予め定められた条件に合致する特定送信先にのみ、送信レポート情報が通知される。
【００２８】
本発明のうちの第５の発明は、情報送信制御装置用のプログラムであって、当該情報送信制御装置のコンピュータを、同報送信手段、及び送信レポート通知手段として機能させる。ここで、情報送信制御装置は、送信対象情報を複数の送信先に送信する情報送信機能を有する。その上で、同報送信手段は、同一の送信対象情報を複数の送信先に一度に送信する同報送信処理を行う。そして、送信レポート通知手段は、複数の送信先を表す送信先情報を含む送信レポート情報を、当該複数の送信先のうち予め定められた条件に合致する特定送信先にのみ通知する。
【００２９】
即ち、本第５の発明は、情報送信制御装置に係る第３の発明に対応するプログラムに係る発明である。従って、本第５の発明によれば、第３の発明と同様、複数の送信先のうち予め定められた条件に合致する特定送信先にのみ、送信レポート情報が通知される。
【００３０】
本発明のうちの第６の発明は、情報送信制御方法に係る発明であって、同報送信ステップ、及び送信レポート通知ステップを備える。このうちの同報送信ステップにおいては、同一の送信対象情報を複数の送信先に一度に送信する同報送信処理が行われる。そして、送信レポート通知ステップにおいては、複数の送信先を表す送信先情報を含む送信レポート情報が、当該複数の送信先のうち予め定められた条件に合致する特定送信先にのみ通知される。
【００３１】
即ち、本第６の発明は、情報送信制御装置に係る第３の発明に対応する方法に係る発明である。従って、本第６の発明によっても、第３の発明と同様、複数の送信先のうち予め定められた条件に合致する特定送信先にのみ、送信レポート情報が通知される。
【発明の効果】
【００３２】
このように本発明によれば、同報送信の送信先に関する情報を、当該同報送信の全ての送信先に通知することができ、又は予め定められた条件に合致する特定送信先にのみ通知することができる。
【図面の簡単な説明】
【００３３】
【図１】図１は、本発明の第１実施例に係る画像形成装置の外観及び当該画像形成装置の同報送信機能に関連する通信部の概略構成を示す図である。
【図２】図２は、第１実施例に係る画像形成装置の同報送信機能に関連する部分の電気的な構成を示すブロック図である。
【図３】図３は、第１実施例における送信レポート情報としての送信予約表及び送信結果表それぞれの一例を示す図である。
【図４】図４は、第１実施例における外部装置としてのファクシミリ装置及び情報処理装置それぞれの同報送信に関連する部分の電気的な構成を示すブロック図である。
【図５】図５は、第１実施例に係る画像形成装置の制御部が実行する送信予約通知モードにおける同報送信制御処理の一例を示すフロー図である。
【図６】図６は、第１実施例に係る画像形成装置の制御部が実行する送信結果通知モードにおける同報送信制御処理の一例の一部分を示すフロー図である。
【図７】図７は、第１実施例の送信結果通知モードにおける同報送信制御処理の一例の別の部分を示すフロー図である。
【図８】図８は、第１実施例の送信結果通知モードにおける同報送信制御処理の一例の残りの部分を示すフロー図である。
【図９】図９は、第１実施例に係る画像形成装置の表示部の表示面に表示されるホーム画面の一例を示す図である。
【図１０】図１０は、第１実施例に係る画像形成装置の表示部の表示面に表示されるシンプルファックス画面の一例を示す図である。
【図１１】図１１は、第１実施例に係る画像形成装置の表示部の表示面に表示される宛先設定画面の一例を示す図である。
【図１２】図１２は、宛先設定画面の状態が変化した一例を示す図である。
【図１３】図１３は、宛先設定画面の状態が変化した別の一例を示す図である。
【図１４】図１４は、第１実施例に係る画像形成装置の表示部の表示面に表示される送信開始画面の一例を示す図である。
【図１５】図１５は、送信開始画面上に表示されるメッセージ画像の一例を示す図である。
【図１６】図１６は、送信開始画面上に表示される別のメッセージ画像の一例を示す図である。
【図１７】図１７は、第１実施例に係る画像形成装置の表示部の表示面に表示される送信履歴画面の一例を示す図である。
【図１８】図１８は、送信履歴画面の状態が変化した一例を示す図である。
【図１９】図１９は、第１実施例に係る画像形成装置の表示部の表示面に表示される詳細表示画面の一例を示す図である。
【図２０】図２０は、本発明の第２実施例に係る画像形成装置の表示部の表示面に表示される詳細ファックス画面の一例を示す図である。
【図２１】図２１は、第２実施例に係る画像形成装置の表示部の表示面に表示されるその他機能設定画面の一例を示す図である。
【図２２】図２２は、第２実施例に係る画像形成装置の表示部の表示面に表示される優先度設定画面の一例を示す図である。
【図２３】図２３は、第２実施例に係る画像形成装置の表示部の表示面に表示される通知条件設定画面の一例を示す図である。
【図２４】図２４は、第２実施例の通知条件設定画面の状態が変化した一例を示す図である。
【図２５】図２５は、第２実施例に係る画像形成装置の記憶部に記憶される送信先テーブルの一例を示す図である。
【図２６】図２６は、第２実施例に係る画像形成装置の制御部が実行する送信予約通知モードにおける同報送信制御処理の一例の一部分を示すフロー図である。
【図２７】図２７は、第２実施例の送信予約通知モードにおける同報送信制御処理の一例の別の部分を示すフロー図である。
【図２８】図２８は、第２実施例の送信予約通知モードにおける同報送信制御処理の一例のさらに別の部分を示すフロー図である。
【図２９】図２９は、第２実施例の送信予約通知モードにおける同報送信制御処理の一例の残りの部分を示すフロー図である。
【図３０】図３０は、第２実施例に係る画像形成装置の制御部が実行する送信結果通知モードにおける同報送信制御処理の一例の一部分を示すフロー図である。
【図３１】図３１は、第２実施例の送信結果通知モードにおける同報送信制御処理の一例の別の部分を示すフロー図である。
【図３２】図３２は、第２実施例の送信結果通知モードにおける同報送信制御処理の一例のさらに別の部分を示すフロー図である。
【図３３】図３３は、第２実施例の送信結果通知モードにおける同報送信制御処理の一例の残りの部分を示すフロー図である。
【図３４】図３４は、本発明の第３実施例に係る画像形成装置の表示部の表示面に表示される通知動作設定画面の一例を示す図である。
【図３５】図３５は、第３実施例に係る画像形成装置の表示部の表示面に表示される通知条件設定画面の一例を示す図である。
【図３６】図３６は、第３実施例の通知条件設定画面の状態が変化した一例を示す図である。
【図３７】図３７は、第３実施例に係る画像形成装置の記憶部に記憶される送信先テーブルの一例を示す図である。
【発明を実施するための形態】
【００３４】
［第１実施例］
図１は、本発明の第１実施例に係る画像形成装置１の外観及び当該画像形成装置１の後述する同報通信機能に関連する通信部の概略構成を示す図である。この図１に示される本第１実施例に係る画像形成装置１は、不図示のシートに画像を形成する画像形成機能を備えると共に、外部装置の一例であるファクシミリ装置４との間で画像情報を送受信するファクシミリ通信機能を備える、いわゆる複合機である。また、画像形成装置１は、不図示の原稿の画像を読み取るスキャナ機能をも備える。さらに、画像形成装置１は、外部装置の他の一例であるパーソナルコンピュータなどの情報処理装置（以下「ＰＣ」と言う。）５との間で画像情報などの各種の送信対象情報を送受信するネットワーク通信機能をも備える。加えて、画像形成装置１は、ファクシミリ通信機能のうちの送信処理に係るファクシミリ送信機能と、ネットワーク通信機能のうちの送信処理に係るネットワーク送信機能との少なくとも一方によって、同一の画像情報を複数の送信先に一度に送信する同報送信機能を備える。なお後述するように、この同報送信機能に利用されるネットワーク送信機能は、メール送信機能とスキャナ送信機能とを含む。また、ここで言うファクシミリ送信機能及びネットワーク送信機能は、本発明に係る情報送信機能の一例である。
【００３５】
画像形成装置１は、その本体内部の中央に設けられた画像形成部１１と、当該本体の上部に搭載された原稿搬送装置１２１と、この画像形成装置１のオペレータが操作する操作パネル部１３とを少なくとも備えている。また、画像形成装置１は、その本体内部の上部に設けられた読取手段としての読取部１２（図２参照）を備えている。読取部１２は、前述のスキャナ機能を実現するためのものであり、原稿の画像を光学的に読み取る画像読取処理を担う。この画像読取処理の対象となる原稿は、原稿搬送装置１２１の自動搬送機能によって当該読取部１２による原稿読取位置を１枚ずつ通過するように搬送され、或いは手動により不図示のコンタクトガラス上に１枚ずつセットされる。さらに、画像形成装置１は、その本体内部の適宜の位置に設けられた制御部１０を備えている。この制御部１０は、画像形成装置１の各部の動作を後述するように制御する。
【００３６】
画像形成部１１は、前述の画像形成機能を実現するためのものであり、例えば公知の電子写真方式によって画像記録媒体としてのシートに画像を形成する画像形成処理を担う。即ち、画像形成部１１は、画像形成処理に供される画像データに基づいて、感光体上に静電潜像を形成し、この静電潜像にトナーを付着させて当該静電潜像をトナー像として顕像化し、さらに、このトナー像をシートに転写することで、当該シートに画像を形成する。そのために、画像形成部１１は、不図示の感光体ドラム、帯電装置、露光装置（レーザ走査ユニット）、現像装置、転写装置、クリーニング装置などの各要素を有する。なお、画像形成装置１が、例えば白黒対応のものである場合には、これら各要素は、１つずつ設けられる。一方、画像形成装置１が、カラー対応のものである場合には、当該各要素は、シアン（Ｃ）、マゼンタ（Ｍ）、イエロー（Ｙ）及びキー・プレート（Ｋ）の４つの色成分に対応して４つずつ設けられる。この画像形成処理によってシートに形成された画像は、不図示の定着装置による定着処理を施されることによって、当該シートに定着され、言わばプリントされる。
【００３７】
前述の画像形成処理に供される画像データとしては、例えば読取部１２による画像読取処理によって得られる原稿画像データがある。また、当該画像形成処理に供される画像データとしては、画像形成装置１に内蔵された不図示の画像記憶部や当該画像形成装置１に着脱可能な不図示の外部記憶装置に記憶されている画像データもある。さらに、当該画像形成装置に供される画像データとしては、後述するファクシミリ装置４や情報処理装置５から送られてくる画像データなどもある。なお、画像形成部１１は、電子写真方式に限らず、インクジェット方式などの他の方式により画像を形成するものであってもよい。
【００３８】
画像形成装置１には、前述の外部装置との通信用として、公衆電話回線２とネットワーク３とが接続可能である。ネットワーク３は、例えばＬＡＮ（Local Area Network）３１、或いは当該ＬＡＮ３１や不図示のＷＡＮ（Wide Area Network）経由で接続されるインターネット３２である。公衆電話回線２には、複数のファクシミリ装置４が接続可能である。ネットワーク３には、複数のＰＣ５が接続可能である。なお、画像形成装置１は、インターネット３２に直接接続される態様であってもよい。また、このインターネット３２を含むネットワーク３は、少なくともその一部に無線を用いるものであってもよい。
【００３９】
図２において、制御部１０は、不図示のＣＰＵ（Central Processing Unit）を備えるコンピュータ、いわゆるマイクロコンピュータを、含む。この制御部１０には、画像形成部１１、読取部１２、操作パネル部１３及び記憶部１００が接続されている。操作パネル部１３は、操作部１３１と表示部１３２とを有する。また、制御部１０には、ファクシミリ通信部２０１とネットワーク通信部３０１とが接続されている。ファクシミリ通信部２０１は、不図示のモデムとＮＣＵ（Network Control Unit）とを備えており、公衆電話回線２と接続される。ネットワーク通信部３０１は、ＮＩＣ（Network Interface Card）を備えており、ネットワーク３と接続される。
【００４０】
操作部１３１は、オペレータによる入力指示、いわゆるユーザ操作、を受け付ける操作受付手段の一例であり、例えば操作キーを備えている。表示部１３２は、表示面を有する表示手段の一例であり、制御部１０による制御に応じて画像や文字などの適宜の視覚的情報を当該表示面に表示する。なお、詳しい図示は省略するが、表示部１３２の表示面上には、透明な薄層のタッチパネルが設けられており、このタッチパネルもまた、操作部１３１の一部を構成する。タッチパネルは、例えば静電容量方式のものであるが、当該静電容量方式のものに限らず、電磁誘導方式、抵抗膜方式、赤外線方式などの他の方式のものであってもよい。そして、表示部１３２は、例えば液晶ディスプレイ（ＬＣＤ）であるが、当該液晶ディスプレイに限らず、有機エレクトロルミネッセンス（ＥＬ）ディスプレイなどであってもよい。
【００４１】
記憶部１００は、制御部１０に各種の演算処理を実行させる制御プログラムなどを記憶するメモリエリアと、当該制御部１０が各種の演算処理を実行する際の一時的な記憶領域となるワークエリアとを有する、いわゆる主記憶装置である。また、記憶部１００は、送信情報記憶部１００１と送信レポート記憶部１００２とを含む。このうちの送信情報記憶部１００１は、外部装置としてのファクシミリ装置４やＰＣ５へ送信される画像情報などの送信対象情報を記憶する。一方、送信レポート記憶部１００２は、当該送信対象情報の送信先を表す送信先情報を含む後述する送信レポート情報などを記憶する。このような記憶部１００は、ＲＯＭ（Read Only Memory）、ＲＡＭ（Random Access Memory）、ＥＥＰＲＯＭ（Electrically Erasable Programmable ROM：登録商標）などの半導体メモリによって構成される。
【００４２】
さらに、制御部１０には、補助記憶装置としての例えばハードディスクドライブ（以下「ＨＤＤ」と言う。）１１０が接続されている。このＨＤＤ１１０内には、後述するＮＡＳ（Network Attached Storage）フォルダ１１０１が予め形成されている。
【００４３】
制御部１０は、制御プログラムのうちの情報送信制御プログラムに従う演算処理を実行することで、宛先設定部１０１、送信情報設定部１０２、送信処理部１０３及び送信レポート通知部１０４として機能する。このうちの送信レポート通知部１０４は、予約表通知部１０５、結果表通知部１０６及び閲覧処理部１０７を含む。このような制御部１０の構成によって、同報送信機能が実現される。
【００４４】
上述したように、本第１実施例における同報送信機能は、ファクシミリ送信機能とネットワーク送信機能との少なくとも一方によって、同一の画像情報を複数の送信先に一度に送信する、いわゆる同報送信を行う機能である。例えば、ファクシミリ送信機能によって送信される画像情報は、送信先として任意に指定された１以上のファクシミリ装置４にページ単位で送信される。そして、ネットワーク送信機能については、メール送信機能とスキャナ送信機能とがある。このうちのメール送信機能によれば、画像情報は、送信先として任意に指定された１以上のＰＣ５に、厳密には１以上のメールアドレス宛に、予め定められた通信規約に従う形式のファイル（電子ファイル）で送信される。このとき、画像情報は、電子メールに添付された状態で、つまり添付ファイルとして、送信される。そして、スキャナ送信機能によれば、画像情報は、送信先として指定された１以上のＰＣ５のフォルダに、予め定められた通信規約に従う形式のファイル、例えばメール送信機能におけるのと同じ形式のファイルで、送信される。なお、送信先としては、ファクシミリ装置４、メールアドレス、及びＰＣ５のフォルダのいずれかが複数指定されてもよいし、これらが混合した状態で複数指定されてもよい。言い換えれば、ファクシミリ送信機能、メール送信機能、及びスキャナ送信機能のいずれかのみによって同報送信が行われてもよいし、これら３つの送信機能のうちの２つ以上によって同報送信が行われてもよい。
【００４５】
併せて、本第１実施例に係る画像形成装置１は、同報送信機能の附帯的な機能として、各送信先を表す送信先情報を含む送信レポート情報を当該各送信先の全てに通知する送信レポート通知機能を、備える。この送信レポート通知機能は、送信予約通知モードと送信結果通知モードとを有する。さらに、送信結果通知モードは、結果表送信モードと閲覧先通知モードとを含む。
【００４６】
このうちの送信予約通知モードによれば、同報送信が開始される際に、図３（ａ）に示されるような送信予約表１０５１が作成される。そして、この送信予約表１０５１は、送信対象情報である画像情報と一緒に、各送信先に送信される。例えば、送信対象情報である画像情報がファクシミリ送信機能によって送信される送信先（ファクシミリ装置４）に対しては、送信予約表１０５１は、当該画像情報の所定ページ、好ましくは最終ページ、の後に付加された状態で送信される。このとき、送信予約表１０５１は、一緒に送信される画像情報と同様のページ単位の情報（データ）に変換された上で、当該画像情報の所定ページの後に付加される。また、画像情報がメール送信機能によって送信される送信先（メールアドレス宛）に対しては、送信予約表１０５１は、当該画像情報と一緒に、電子メールの添付ファイルとして、送信される。このとき、送信予約表１０５１は、予め定められた形式のファイル、例えば一緒に送信される画像情報と同じ形式のファイルに、変換された上で、送信される。さらに、画像情報がスキャナ送信機能によって送信される送信先（ＰＣ５のフォルダ）に対しては、送信予約表１０５１は、当該画像情報と一緒に、送信される。このとき、送信予約表１０５１は、予め定められた形式のファイル、例えば一緒に送信される画像情報と同じ形式のファイルに、変換された上で、送信される。
【００４７】
なお、図３（ａ）に示される送信予約表１０５１は、本発明に係る送信予約表の一例であり、また、本発明に係る送信予約情報の一例でもある。この送信予約表１０５１には、同報送信の相手方となる送信先（宛先）の指定（予約）順を表す番号と、当該送信先を特定する情報（ファクシミリ番号、メールアドレス、フォルダ情報）とが、含まれている。また、この送信予約表１０５１には、通信手段に関する情報、詳しくは送信対象である画像情報が同報送信機能によって各送信先に順次送信される旨を表す情報も、含まれている。さらに、送信予約表１０５１には、画像情報のページ数（枚数）を表す情報も、含まれている。加えて、送信予約表１０５１には、その作成日時を表す情報も、含まれている。このように送信予約表１０５１には、各種の情報が含まれているが、当該送信予約表１０５１には、少なくとも各送信先を特定する情報（ファクシミリ番号、メールアドレス、フォルダ情報）、つまり送信先情報が、含まれていればよい。従って、それぞれの送信先においては、画像情報を受信すると同時に、送信予約表１０５１から、他の送信先を認識することができる。因みに、図３（ａ）に示される送信予約表１０５１によれば、送信先として、３つのファクシミリ番号と１つのメールアドレスとが指定されていること、つまり合計４つの送信先が指定されていることが、分かる。
【００４８】
また、前述の送信結果通知モードのうちの結果表送信モードによれば、同報送信が行われた後に、図３（ｂ）に示されるような送信結果表１０６１が作成される。そして、この送信結果表１０６１は、同報送信時と同じ送信先に送信される。例えば、同報送信時に送信対象情報である画像情報がファクシミリ送信機能によって送信された送信先（ファクシミリ装置４）に対しては、送信結果表１０６１は、当該ファクシミリ送信機能によって送信される。このとき、送信結果表１０６１は、送信済の画像情報と同様のページ単位の情報に変換された上で、送信される。また、同報送信時に画像情報がメール送信機能によって送信された送信先（メールアドレス宛）に対しては、送信結果表１０６１は、当該メール送信機能によって送信される。このとき、送信結果表１０６１は、予め定められた形式のファイル、例えば送信済の画像情報と同じ形式のファイルに、変換された上で、電子メールの添付ファイルとして送信される。さらに、同報送信時に画像情報がスキャナ送信機能によって送信された送信先（ＰＣ５のフォルダ）に対しては、送信結果表１０６１は、当該スキャナ送信機能によって送信される。このとき、送信結果表１０６１は、予め定められた形式のファイル、例えば送信済の画像情報と同じ形式のファイルに、変換された上で、送信される。また、同報送信時に画像情報がスキャナ送信機能によって送信された送信先については、任意のメールアドレスがハイパーリンク先として予め登録されている場合がある。この場合は、当該ハイパーリンク先のメールアドレス宛に、送信結果表１０６１が、電子メールの添付ファイルとして送信される。このハイパーリンク先が登録されている場合には、当該ハイパーリンク先のメールアドレス宛と、リンク元である送信先（ＰＣ５のフォルダ）と、の両方に、送信結果表１０６１が送信されてもよい。
【００４９】
なお、図３（ｂ）に示される送信結果表１０６１は、本発明に係る送信結果表の一例であり、また、本発明に係る送信結果情報の一例でもある。この送信結果表１０６１には、同報送信による各送信先への画像情報の送信順を表す番号と、当該各送信先のそれぞれを特定する符号（ファクシミリ番号、メールアドレス、フォルダ情報）とが、含まれている。また、送信結果表１０６１には、同報送信が開始された日付及び時刻を表す情報が含まれている。さらに、送信結果表１０６１には、それぞれの送信先に実際に送信された画像情報のページ数（枚数）を表す情報も、含まれている。併せて、送信結果表１０６１には、それぞれの送信先への画像情報の送信の成否を表す結果情報も、含まれている。加えて、送信結果表１０６１には、その作成日時を表す情報も、含まれている。このように送信結果表１０６１には、種々の情報が含まれているが、当該送信結果表１０６１についても、送信予約表１０５１と同様、少なくとも各送信先を特定する送信先情報が含まれていればよく、好ましくはこれに加えて結果情報が含まれていればよい。従って、それぞれの送信先においては、画像情報を受信した後に、送信結果表１０６１から、他の送信先を認識することができると共に、各送信先への画像情報の送信成否の結果を認識することができる。因みに、図３（ｂ）に示される送信結果表１０６１によれば、４つの送信先のうちの３つについては、画像情報の送信が成功し、残りの１つについては、画像情報の送信が失敗したことが、分かる。
【００５０】
さらに、送信結果通知モードのうちの閲覧先通知モードによれば、前述の結果表送信モードと同様、同報送信が行われた後に、送信結果表１０６１が作成される。この送信結果表１０６１は、記憶部１００の送信レポート記憶部１００２に記憶され、言わば格納される。このとき、送信レポート記憶部１００２は、掲示板用メモリボックスとして機能する。そして、この送信レポート記憶部１００２に格納された送信結果表１０６１の格納先を表す格納情報としての識別情報、例えば公知のＦコードが、当該送信結果表１０６１と対応付けられた状態で、当該送信レポート記憶部１００２に記憶される。併せて、送信結果表１０６１は、ＨＤＤ１１０内のＮＡＳフォルダ１１０１にも格納される。このようにして送信結果表１０６１が格納される掲示板用メモリボックスとしての送信レポート記憶部１００２、及びＮＡＳフォルダ１１０１は、本発明に係る記憶手段の一例である。
【００５１】
その上で、同報送信時に送信対象情報である画像情報がファクシミリ送信機能によって送信された送信先（ファクシミリ装置４）に対しては、当該同報送信時に、前述のＦコードが画像情報に付された状態で送信される。これにより、当該Ｆコードが、送信先に報知される。従って、このＦコードの報知を受けた送信先においては、当該Ｆコードから、送信結果表１０６１の格納先を認識することができ、つまり掲示板用メモリボックス（送信レポート記憶部１００２）に送信結果表１０６１が格納されていることを認識することができる。そして、このＦコードの報知を受けた送信先において、当該Ｆコードを用いての閲覧要求（送信依頼）が行われると、この閲覧要求に付されたＦコードと、送信レポート記憶部１００２に格納されている送信結果表１０６１に付されたＦコードとが、互いに照合される。そして、互いのＦコードが一致すると、送信レポート記憶部１００２に格納されている送信結果表１０６１が当該送信レポート記憶部１００２から読み出されて、閲覧要求のあった送信先にファクシミリ送信機能によって送信され、いわゆるポーリング送信される。このとき、送信結果表１０６１は、画像情報と同様のページ単位の情報に変換された上で、送信される。なお、Ｆコードは、手動による電子メールの送信や電話連絡等の別の方法によっても報知することが可能である。この場合も、報知を受けた送信先においては、Ｆコードを用いての閲覧要求を行うことによって、送信結果表１０６１を入手することができる。
【００５２】
また、同報送信時に画像情報がメール送信機能によって送信された送信先（メールアドレス宛）に対しては、送信結果表１０６１が格納されているＮＡＳフォルダ１１０１のリンク先が記載された電子メールが送信される。即ち、当該ＮＡＳフォルダ１１０１のリンク先が、送信結果表１０６１の格納先を表す格納情報として、送信先に報知される。従って、この報知を受けた送信先においては、当該報知に係るＮＡＳフォルダ１１０１のリンク先から、当該ＮＡＳフォルダ１１０１に送信結果表１０６１が格納されていることを認識することができる。そして、報知を受けた送信先においては、閲覧要求をすることで、つまりはＮＡＳフォルダ１１０１のリンク先にアクセスすることで、当該ＮＡＳフォルダ１１０１に格納されている送信結果表１０６１を読み出すことができる。なお、送信先に対するＮＡＳフォルダ１１０１のリンク先の報知は、同報送信時に送信される電子メールに当該ＮＡＳフォルダ１１０１のリンク先が記載されることによって、行われてもよい。
【００５３】
さらに、同報送信時に画像情報がスキャナ送信機能によって送信された送信先（ＰＣ５のフォルダ）については、任意のメールアドレスがハイパーリンク先として予め登録されている場合に、前述のＮＡＳフォルダ１１０１のリンク先の報知が行われる。具体的には、ハイパーリンク先のメールアドレス宛に、当該ＮＡＳフォルダ１１０１のリンク先が記載された電子メールが送信される。これにより、ＮＡＳフォルダ１１０１のリンク先が、送信結果表１０６１の格納先を表す格納情報として、送信先に報知される。従って、この報知を受けた送信先においては、当該報知に係るＮＡＳフォルダ１１０１のリンク先から、当該ＮＡＳフォルダ１１０１に送信結果表１０６１が格納されていることを認識することができる。そして、報知を受けた送信先においては、閲覧要求をすることで、つまりはＮＡＳフォルダ１１０１のリンク先にアクセスすることで、当該ＮＡＳフォルダ１１０１に格納されている送信結果表１０６１を読み出すことができる。
【００５４】
このように閲覧先通知モードによる送信レポート通知機能によれば、全ての送信先に対して一律に送信結果表１０６１が送信されるのではなく、閲覧要求のあった送信先に対してのみ当該送信結果表１０６１が送信される。従って、それぞれの送信先においては、必要なときに閲覧要求をすることで、他の送信先を認識することができる。
【００５５】
このような同報送信機能及びその附帯的な機能としての送信レポート通知機能において、宛先設定部１０１は、同報送信の送信先を設定する。具体的には、前述のファクシミリ送信機能に対応するファクシミリモードにおいて、同報送信の相手方となる任意の送信先を設定するためのユーザ操作が操作部１３１によって受け付けられると、これに応答して、宛先設定部１０１は、当該任意の送信先を同報送信の相手方として設定する。この送信先の設定は、当該送信先の情報（ファクシミリ番号、メールアドレス、フォルダ情報）が送信レポート記憶部１００２に一時的に記憶されることによって、行われる。なお、この送信先の設定時におけるユーザ操作の要領には、予め登録されている宛先リストから任意の送信先を選択する要領と、任意の送信先の情報を直接入力する要領とがある。また、ファクシミリモードに限らず、スキャナ送信機能に対応するスキャナモードにおいても、同様に操作を行うことができる。このユーザ操作の要領については、後で詳しく説明する。
【００５６】
送信情報設定部１０２は、前述のコンタクトガラス上又は原稿搬送装置１２１に原稿がセットされた状態で、同報送信の開始を指示するためのユーザ操作が操作部１３１によって受け付けられると、これに応答して、読取部１２に画像読取処理を実行させる。そして、送信情報設定部１０２は、この読取部１２による画像読取処理によって得られた原稿画像データを、送信対象情報となる画像情報として送信情報記憶部１００１に一時的に記憶する。なお、宛先設定部１０１によって同報送信の相手方として設定された送信先にファクシミリ番号が含まれる場合には、当該画像情報は、ファクシミリ送信機能に応じたページ単位の画像情報に成形された上で、送信情報記憶部１００１に記憶される。また、同報送信の相手方として設定された送信先にメールアドレス又はフォルダ情報が含まれる場合には、当該画像情報は、前述の通信規約に従う形式のファイルに成形された上で、送信情報記憶部１００１に記憶される。
【００５７】
送信処理部１０３は、全ての原稿に係る画像情報が送信情報記憶部１００１に記憶され終えると、この送信情報記憶部１００１に記憶された画像情報を読み出して各送信先に順次送信する同報送信処理を行う。この同報送信処理において、送信先がファクシミリ装置４である場合は、ファクシミリ送信機能に従うページ単位の画像情報が、ファクシミリ通信部２０１に入力される。ファクシミリ通信部２０１は、このページ単位の画像情報を、ファクシミリ送信機能によって送信し、つまり公衆電話回線２を介して送信先のファクシミリ装置４に送信する。また、送信先がメールアドレス宛である場合は、前述のファイルに成形された画像情報が、ネットワーク通信部３０１に入力される。ネットワーク通信部３０１は、このファイルに成形された画像情報を、メール送信機能によって送信する。即ち、ネットワーク通信部３０１は、当該ファイルに成形された画像を電子メールに添付し、この電子メールを、ネットワーク３を介して送信先のメールアドレス宛に送信する。さらに、送信先がＰＣ５のフォルダである場合もまた、前述のファイルに成形された画像情報が、ネットワーク通信部３０１に入力される。ネットワーク通信部３０１は、このファイルに成形された画像情報を、スキャナ送信機能によって送信し、つまりネットワーク３を介して送信先のＰＣ５のフォルダに送信する。
【００５８】
なお、ファクシミリ通信部２０１は、本発明に係るファクシミリ送信手段の一例である。そして、ネットワーク通信部３０１は、本発明に係るネットワーク送信手段の一例である。また、ネットワーク通信部３０１のうちのメール送信機能に関係する部分は、本発明に係る電子メール送信手段の一例であり、当該ネットワーク通信部３０１のうちのスキャナ送信機能に関係する部分は、本発明に係るスキャナ送信手段の一例である。さらに、送信処理部１０３は、本発明に係る同報送信手段の一例である。
【００５９】
送信レポート通知部１０４の予約表通知部１０５は、送信レポート通知機能における送信予約通知モードを担う。即ち、予約表通知部１０５は、宛先設定部１０１によって同報送信の相手方として設定された送信先の情報を送信レポート記憶部１００２から読み出して、送信予約表１０５１を作成する。そして、予約表通知部１０５は、送信処理部１０３による同報送信処理時に、この送信予約表１０５１を、それぞれの送信先に応じた情報に成形する。その上で、予約表通知部１０５は、この成形後の送信予約表１０５１を、画像情報と一緒に送信するように、当該画像情報と対応付ける。これにより、送信予約表１０５１は、同報送信処理時に、画像情報と一緒に各送信先に送信される。この予約表通知部１０５は、本発明に係る送信予約表作成手段の一例である。
【００６０】
結果表通知部１０６は、送信レポート通知機能における結果表送信モードを担う。即ち、結果表通知部１０６は、宛先設定部１０１によって同報送信の相手方として設定された送信先の情報を送信レポート記憶部１００２から読み出して、送信結果表１０６１を作成する。併せて、結果表通知部１０６は、送信処理部１０３による同報送信処理の結果を監視して、各送信先に対する画像情報の送信成否の結果を確認する。そして、結果表通知部１０６は、この送信成否の結果を、送信結果表１０６１に盛り込む。その上で、結果表通知部１０６は、送信処理部１０３による同報送信処理が終わった後に、この送信結果表１０６１を、当該同報処理時と同じ送信先に送信する。このとき、結果表通知部１０６は、当該送信結果表１０６１を、それぞれの送信先に応じた情報に成形する。この結果表通知部１０６は、本発明に係る送信結果表作成手段の一例である。
【００６１】
閲覧処理部１０７は、送信レポート通知機能における閲覧先通知モードを担う。即ち、閲覧処理部１０７もまた、結果表通知部１０６と同様に、送信結果表１０６１を作成すると共に、各送信先に対する画像情報の送信成否の結果を当該送信結果表１０６１に盛り込む。そして、閲覧処理部１０７は、この送信結果表１０６１を、掲示板用メモリボックスとして機能する送信レポート記憶部１００２に格納する。このとき、閲覧処理部１０７は、送信結果表１０６１に前述のＦコードを対応付けた状態で、当該Ｆコードを送信レポート記憶部１００２に記憶する。併せて、閲覧処理部１０７は、送信結果表１０６１を、ＨＤＤ１１０内のＮＡＳフォルダ１１０１に格納する。
【００６２】
その上で、閲覧処理部１０７は、送信結果表１０６１の格納先を表す格納情報を各送信先に報知する。具体的には前述したように、同報送信時に送信対象情報である画像情報がファクシミリ送信機能によって送信された送信先（ファクシミリ装置４）に対しては、当該同報送信時に、格納情報としてのＦコードが画像情報に付された状態で送信される。そして、同報送信時に画像情報がメール送信機能によって送信された送信先（メールアドレス宛）に対しては、格納情報としてのＮＡＳフォルダ１１０１のリンク先が記載された電子メールが送信される。また、同報送信時に画像情報がスキャナ送信機能によって送信された送信先（ＰＣ５のフォルダ）については、任意のメールアドレスがハイパーリンク先として予め登録されている場合に、そのハイパーリンク先のメールアドレス宛に、格納情報としてのＮＡＳフォルダ１１０１のリンク先が記載された電子メールが送信される。
【００６３】
そして、閲覧処理部１０７は、任意の送信先から閲覧要求を受けると、これに応答して、当該閲覧要求のあった送信先に送信結果表１０６１を送信する。このとき、閲覧処理部１０７は、当該送信結果表１０６１を、それぞれの送信先に応じた情報に成形した上で、送信する。この閲覧処理部１０７は、本発明に係る報知手段の一例である。また、この閲覧処理部１０７は、本発明に係る送信結果表作成手段の一例でもある。さらに、予約表通知部１０５、結果表通知部１０６及び閲覧処理部１０７を含む送信レポート通知部１０４は、本発明に係る送信レポート通知手段の一例である。
【００６４】
ここで、図４を参照して、ファクシミリ装置４及びＰＣ５について説明する。このうちのファクシミリ装置４は、図４（ａ）に示されるように、制御部４０を備える。この制御部４０は、不図示のＣＰＵを有するマイクロコンピュータを含む。そして、この制御部４０に、操作部４１、表示部４２、印字部４３、及び読取部４４が接続されている。操作部４１は、このファクシミリ装置４のオペレータによる入力指示、つまりユーザ操作を、受け付ける。表示部４２は、表示面を有しており、制御部４０による制御に応じて画像や文字などの適宜の視覚的情報を当該表示面に表示する。印字部４３は、公衆電話回線２を介して受信した画像情報に従って、不図示のシートにページ単位で画像を形成し、言わば印字を行う。読取部４４は、このファクシミリ装置４が送信側となる場合に、不図示の原稿の画像を読み取る。そして、制御部は、不図示の記憶部に記憶されている制御プログラムを実行することで、通信処理部４０１、印字処理部４０２及び読取処理部４０３として機能する。通信処理部４０１は、画像情報の送受信を行う他、前述のＦコードを利用してのポーリング送信に対するポーリング受信を制御する。印字処理部４０２は、通信処理部４０１によって受信された画像情報に従う画像などを印字部４３に印字させるように、当該印字部４３を制御する。読取処理部４０３は、読取部４４に原稿の画像を読み取らせるように、当該読取部４４を制御する。この読取部４４によって読み取られた原稿の画像データは、通信処理部４０１に入力される。
【００６５】
ＰＣ５は、図４（ｂ）に示されるように、制御部５０を備える。この制御部５０は、不図示のＣＰＵを有するマイクロコンピュータを含む。そして、この制御部５０に、操作部５１及び表示部５２が接続されている。操作部５１は、このＰＣ５のオペレータによる入力指示、つまりユーザ操作を、受け付ける。表示部５２は、表示面を有しており、制御部５０による制御に応じて画像や文字などの適宜の視覚的情報を当該表示面に表示する。その上で、制御部５０は、不図示の記憶部に記憶されている制御プログラムを実行することで、通信処理部５０１及び表示処理部５０２として機能する。通信処理部５０１は、画像情報の送受信を行う他、画像形成装置１のＮＡＳフォルダ１１０１に対する閲覧要求処理を行う。表示処理部５０２は、通信処理部５０１によって受信された画像情報に従う画像などの各種の情報を表示部５２に表示させるように、当該表示部５２を制御する。なお、ＰＣ５は、画像形成装置１の外部装置として機能する他に、文書作成機能などの種々の情報処理機能を備える。
【００６６】
次に、前述の同報送信機能及び送信レポート通知機能を実現するための画像形成装置１の制御部１０の動作について、説明する。この制御部１０の動作は、送信レポート通知機能のうちの送信予約通知モードと送信結果通知モードとによって、異なる。例えば、送信予約通知モードの場合、制御部１０は、前述の情報送信制御プログラムに従って、図５のフロー図に示される要領で、当該送信予約通知モードに応じた同報送信制御処理を行う。
【００６７】
まず、制御部１０は、ステップＳ１において、送信先（宛先）の指定を受け付ける。そして、制御部１０は、処理をステップＳ３に進めて、ステップＳ１で受け付けられた送信先の指定数が複数であるかどうかを判定する。ここで例えば、送信先の指定数が単数（１つのみ）である場合（Ｓ３−ＮＯ）、つまり同報送信ではなく１つの送信先に対してのみ送信を行う言わば通常送信である場合、制御部１０は、処理をステップＳ５に進める。そして、このステップＳ５において、制御部１０は、原稿の画像を読取部１２によって読み取らせるべく、当該読取部１２に画像読取処理を実行させる。そして、制御部１０は、処理をステップＳ７に進めて、１つのみの送信先に画像情報を送信する。このステップＳ７の実行をもって、制御部１０は、同報送信制御処理を終了する。
【００６８】
一方、前述のステップＳ３において、ステップＳ１で受け付けられた送信先の指定数が複数である場合（Ｓ３−ＹＥＳ）、制御部１０は、処理をステップＳ９に進める。そして、このステップＳ９において、制御部１０は、全ての送信先が確定されたかどうかを判定する。ここで例えば、全ての送信先がまだ確定されない場合（Ｓ９−ＮＯ）、つまり送信先の受付が続く場合、制御部１０は、処理をステップＳ１に戻す。これに対して、全ての送信先が確定された場合（Ｓ９−ＹＥＳ）、制御部１０は、処理をステップＳ９からステップＳ１１に進める。
【００６９】
ステップＳ１１において、制御部１０は、原稿の画像を読取部１２によって読み取らせるべく、当該読取部１２に画像読取処理を実行させる。そして、制御部１０は、処理をステップＳ１３に進めて、送信予約表１０５１を作成する。その上で、制御部１０は、処理をステップＳ１５に進めて、送信を開始し、つまり同報送信処理を開始する。
【００７０】
この同報送信処理の開始に際して、制御部１０は、処理をステップＳ１７に進めて、送信先がスキャナ送信機能による送信先（スキャナ宛先）であるかどうかを判定する。ここで例えば、送信先がスキャナ送信機能による送信先である場合（Ｓ１７−ＹＥＳ）、制御部１０は、処理をステップＳ１９に進めて、送信対象情報である画像情報と送信予約表１０５１とを同じ当該送信先に送信する。そして、制御部１０は、処理をステップＳ２９に進める。
【００７１】
一方、ステップＳ１７において、送信先がスキャナ送信機能による送信先でない場合（Ｓ１７−ＮＯ）、制御部１０は、処理をステップＳ２１に進める。そして、このステップＳ２１において、制御部１０は、送信先がメール送信機能による送信先（Ｅ−ｍａｉｌ宛先）であるかどうかを判定する。ここで例えば、送信先がメール送信機能による送信先である場合（Ｓ２１−ＹＥＳ）、制御部１０は、処理をステップＳ２３に進めて、送信対象情報である画像情報と送信予約表１０５１とを電子メールに添付して当該送信先に送信する。そして、制御部１０は、処理をステップＳ２９に進める。
【００７２】
さらに、ステップＳ２１において、送信先がメール送信機能による送信先でない場合（Ｓ２１−ＮＯ）、制御部１０は、処理をステップＳ２５に進める。そして、このステップＳ２５において、制御部１０は、送信先がファクシミリ送信機能による送信先（ファックス宛先）であるかどうかを判定する。ここで例えば、送信先がファクシミリ送信機能による送信先である場合（Ｓ２５−ＹＥＳ）、制御部１０は、処理をステップＳ２７に進める。そして、このステップＳ２７において、制御部１０は、送信対象情報である画像情報の所定ページの後に送信予約表１０５１を付加して、これらを送信先に送信する。その上で、制御部１０は、処理をステップＳ２９に進める。なお、ステップＳ２５において、送信先がファクシミリ送信機能による送信先でない場合（Ｓ２５−ＮＯ）、制御部１０は、処理をステップＳ１７に戻す。
【００７３】
ステップＳ２９において、制御部１０は、次の送信先があるかどうかを、つまり全ての送信先に対して画像情報及び送信予約表１０５１が送信されたかどうかを、判定する。ここで例えば、次の送信先がある場合（Ｓ２９−ＹＥＳ）、制御部１０は、処理をステップＳ１７に戻す。一方、ステップＳ２９において、次の送信先がない場合（Ｓ２９−ＮＯ）、制御部１０は、処理をステップＳ３１に進めて、同報送信処理を完了する。このステップＳ３１の実行をもって、制御部１０は、同報送信制御処理を終了する。
【００７４】
次に、送信結果通知モードにおける制御部１０の動作について、説明する。この場合、制御部１０は、前述の情報送信制御プログラムに従って、図６〜図８のフロー図に示される要領で、当該送信結果通知モードに応じた同報送信制御処理を行う。なお、この送信結果通知モードに応じた同報送信制御処理（図６）におけるステップＳ４１〜ステップＳ５１は、前述の送信予約通知モードに応じた同報送信制御処理（図５）におけるステップＳ１〜ステップＳ１１と同様であるので、これらについての説明は、省略する。
【００７５】
制御部１０は、ステップＳ５１において、読取部１２に原稿の画像を読み取らせた後、処理をステップＳ５３に進めて、送信対象情報である画像情報を各送信先に送信する。このとき、制御部１０は、ファクシミリ送信機能による送信先に対しては、前述のＦコードが付された画像情報を送信する。このステップＳ５３の実行後、制御部１０は、処理をステップＳ５５に進めて、次の送信先があるかどうかを、つまり全ての送信先に対して画像情報が送信されたかどうかを、判定する。ここで例えば、次の送信先がある場合（Ｓ５５−ＹＥＳ）、制御部１０は、処理をステップＳ５３に戻す。一方、次の送信先がない場合（Ｓ５５−ＮＯ）、制御部１０は、処理をステップＳ５５からステップＳ５７に進める。
【００７６】
ステップＳ５７において、制御部１０は、同報送信処理を完了する。そして、制御部１０は、処理をステップＳ５９に進めて、送信結果表１０６１を作成する。さらに、制御部１０は、処理をステップＳ６１に進めて、送信結果通知モードのうちの結果表送信モードと閲覧先通知モードとのいずれが選択されているのかを、判定する。要するに、制御部１０は、送信結果表１０６１を各送信先に送信するのか、それとも前述の閲覧要求に備えて当該送信結果表を格納するのかを、判定する。ここで例えば、送信結果表１０６１を各送信先に送信する場合（Ｓ６１−送信）、つまり送信結果通知モードのうちの結果表送信モードが選択されている場合、制御部１０は、処理をステップＳ７１に進める。
【００７７】
ステップＳ７１において、制御部１０は、送信結果表１０６１を各送信先へ送信するための処理を開始する。これに際して、制御部１０は、処理をステップＳ７３に進めて、送信先がスキャナ送信機能による送信先（スキャナ宛先）であるかどうかを判定する。ここで例えば、送信先がスキャナ送信機能による送信先でない場合、つまり当該送信先がメール送信機能による送信先（Ｅ−ｍａｉｌ宛先）またはファクシミリ送信機能による送信先（ファックス宛先）である場合（Ｓ７３−ＮＯ）、制御部１０は、処理をステップＳ７５に進める。そして、このステップＳ７５において、制御部１０は、送信結果表１０６１を同報送信時と同じ送信先に送信する。このステップＳ７５の実行後、制御部１０は、処理をステップＳ８１に進める。
【００７８】
一方、ステップＳ７３において、送信先がスキャナ送信機能による送信先である場合（Ｓ７３−ＹＥＳ）、制御部１０は、処理をステップＳ７７に進める。そして、このステップＳ７７において、制御部１０は、送信先にハイパーリンク先としてのメールアドレスが設定（登録）されているかどうかを判定する。ここで例えば、送信先にハイパーリンク先のメールアドレスが設定されていない場合（Ｓ７７−ＮＯ）、制御部１０は、処理をステップＳ７５に進める。
【００７９】
また、前述のステップＳ７７において、送信先にハイパーリンク先のメールアドレスが設定されている場合（Ｓ７７−ＹＥＳ）、制御部１０は、処理をステップＳ７９に進める。そして、このステップＳ７９において、制御部１０は、送信結果表１０６１を電子メールに添付して、この電子メールを、ハイパーリンク先のメールアドレス宛に送信する。このステップＳ７９の実行後、制御部１０は、処理をステップＳ８１に進める。
【００８０】
ステップＳ８１において、制御部１０は、全ての送信先に対して送信結果表１０６１が送信されたかどうかを判定する。ここで例えば、全ての送信先に対して送信結果表１０６１がまだ送信されていな場合（Ｓ８１−ＮＯ）、制御部１０は、処理をステップＳ７３に戻す。一方、全ての送信先に対して送信結果表１０６１が送信された場合（Ｓ８１−ＹＥＳ）、制御部１０は、同報送信制御処理を終了する。
【００８１】
さらに、前述のステップＳ６１において、送信結果表１０６１を格納する場合、つまり送信結果通知モードのうちの閲覧先通知モードが選択されている場合（Ｓ６１−格納）、制御部１０は、処理をステップＳ９１に進める。
【００８２】
ステップＳ９１において、制御部１０は、送信結果表１０６１を格納するための処理を開始する。これに際して、制御部１０は、処理をステップＳ９３に進めて、送信先がスキャナ送信機能による送信先（スキャナ宛先）であるかどうかを判定する。ここで例えば、送信先がスキャナ送信機能による送信先である場合（Ｓ９３−ＹＥＳ）、制御部１０は、処理をステップＳ９５に進める。そして、このステップＳ９５において、制御部１０は、ＨＤＤ１１０内のＮＡＳフォルダ１１０１に送信結果表１０６１を格納する。さらに、制御部１０は、処理をステップＳ９７に進める。
【００８３】
ステップＳ９７において、制御部１０は、送信先にハイパーリンク先としてのメールアドレスが設定されているかどうかを判定する。ここで例えば、送信先にハイパーリンク先のメールアドレスが設定されていない場合（Ｓ９７−ＮＯ）、制御部１０は、同報送信制御処理を終了する。一方、送信先にハイパーリンク先のメールアドレスが設定されている場合（Ｓ９７−ＹＥＳ）、制御部１０は、処理をステップＳ９９に進める。そして、このステップＳ９９において、制御部１０は、ＮＡＳフォルダ１１０１のリンク先が記載された電子メールを、ハイパーリンク先のメールアドレス宛に送信する。このステップＳ９９の実行後、制御部１０は、同報送信制御処理を終了する。
【００８４】
また、前述のステップＳ９３において、送信先がスキャナ送信機能による送信先でない場合（Ｓ９３−ＮＯ）、制御部１０は、処理をステップＳ１０１に進める。そして、このステップＳ１０１において、制御部１０は、送信先がメール送信機能による送信先（Ｅ−ｍａｉｌ宛先）であるかどうかを判定する。ここで例えば、送信先がメール送信機能による送信先である場合（Ｓ１０１−ＹＥＳ）、制御部１０は、処理をステップＳ１０３に進めて、送信結果表１０６１をＮＡＳフォルダ１１０１に格納する。そして、制御部１０は、処理をステップＳ１０５に進めて、ＮＡＳフォルダ１１０１のリンク先が記載された電子メールを、送信先に送信する。このステップＳ１０５の実行をもって、制御部１０は、同報送信制御処理を終了する。
【００８５】
さらに、前述のステップＳ１０１において、送信先がメール送信機能による送信先でない場合（Ｓ１０１−ＮＯ）、制御部１０は、処理をステップＳ１０７に進める。そして、このステップＳ１０７において、制御部１０は、送信先がファクシミリ送信機能による送信先（ファックス宛先）であるかどうかを判定する。ここで例えば、送信先がファクシミリ送信機能による送信先である場合（Ｓ１０７−ＹＥＳ）、制御部１０は、処理をステップＳ１０９に進める。そして、このステップＳ１０９において、制御部１０は、掲示板用メモリボックスとしての送信レポート記憶部１００２に送信結果表１０６１を格納する。このとき、制御部１０は、送信結果表１０６１に前述のＦコードを対応付けた状態で、当該Ｆコードを送信レポート記憶部１００２に記憶する。このステップＳ１０９の実行をもって、制御部１０は、同報送信制御処理を終了する。
【００８６】
さて前述したように、同報送信における送信先を設定するには、例えばファクシミリモードが選択される。具体的には、表示部１３２の表示面に、図９に示されるようなホーム画面６００が表示されている状態で、ユーザ操作として「シンプルファックス」ボタン６０２が押下（タッチ）される。すると、ホーム画面６００に代えて、図１０に示されるようなシンプルファックス画面６１０が、表示部１３２の表示面に表示される。これにより、ファクシミリモードが選択される。なお、図９に示されるホーム画面６００において、その上部にある「シンプルファックス」アイコン６０４が押下された場合も、ファクシミリモードが選択される。即ち、このアイコン６０４が押下された場合、ホーム画面６００に代えて、図１０に示されるシンプルファックス画面６１０が、表示部１３２の表示面に表示される。
【００８７】
このシンプルファックス画面６１０において、「アドレス帳」ボタン６１２が押下されると、当該シンプルファックス画面６１０に代えて、図１１に示されるような宛先設定画面６２０が、表示部１３２の表示面に表示される。この宛先設定画面６２０は、予め登録されている宛先リストの内容を表す送信先一覧６２２を含む。この送信先一覧６２２において、任意の送信先名（厳密には当該送信名が表示されたフィールド）が押下されると、その送信先が送信先候補として設定される。例えば、送信先一覧６２２における一番上の「ＡＡＡ」という送信先名が押下されると、宛先設定画面６２０は、図１２に示されるような状態に遷移する。即ち、「ＡＡＡ」という送信先名が表示されたフィールドに適当な修飾が施され、例えば適当な色彩が付される。そして、送信先一覧６２２の上方にある「宛先」フィールド６２４に、設定された送信先候補の情報が表示される。併せて、「宛先」フィールド６２４の右横方にある「一覧」ボタン６２６に、設定された送信先候補の総数が表示される。そして、「一覧」ボタン６２６の右横方にある「次候補」ボタン６２８が押下されることによって、次の送信先候補を設定することが可能となる。
【００８８】
図１３は、前述の「ＡＡＡ」という送信先候補に加えて、「ＣＣＣ」という送信先候補が設定された状態を示す。この図１３に示される宛先設定画面６２０においては、「ＣＣＣ」という送信先名が表示されたフィールドに適当な修飾が施される。併せて、「宛先」フィールド６２４に、新たに設定された送信先候補の情報が表示される。また、「一覧」ボタン６２６に、設定された送信先候補の総数が表示される。そして、「次候補」ボタン６２８が押下されることによって、さらに次の送信先候補を設定することが可能となる。一方、「ＯＫ」ボタン６３０が押下されると、送信先候補として設定された送信先が、正式な送信先として設定される。この場合、図１３に示される宛先設定画面６２０に代えて、図１４に示されるような送信開始画面６４０が、表示部１３２の表示面に表示される。
【００８９】
この送信開始画面６４０が表示されると共に、前述のコンタクトガラス上又は原稿搬送装置１２１に原稿がセットされた状態で、当該送信開始画面６４０における「スタート」ボタン６４２が押下されると、当該原稿の読み込みが開始される。即ち、読取部１２による画像読取処理が開始される。すると、この送信開始画面６４０上に、図１５に示されるようなメッセージ画像６４４が表示され、例えばオーバレイ表示される。このメッセージ画像６４４は、原稿の読み込み中であることを表す。
【００９０】
そして、原稿の読み込みが終了すると、図１５に示されるメッセージ画像６４４に代えて、図１６に示されるような別のメッセージ画像６４６が、送信開始画面６４０上にオーバレイ表示される。このメッセージ画像６４６は、原稿の読み込みが終了して、これから同報送信が行われることを表す。これにより、前述した要領による同報送信が開始され、つまり送信処理部１０３による同報送信処理が開始される。併せて、送信レポート通知機能がオン（有効化）されている場合には、当該送信レポート通知機能の各モード（送信予約通知モード又は送信結果通知モード）に従う送信レポート情報（送信予約表１０５１又は送信結果表１０６１）が各送信先に通知される。この通知後、表示部１３２の表示面は、図１０に示されるシンプルファックス画面６１０が表示される状態に戻る。
【００９１】
なお前述したように、同報送信における送信先の設定は、ファクシミリモードに限らず、スキャナモードによって行うこともできる。この場合は、図９に示されるホーム画面６００において、「シンプルスキャン」ボタン６０６又は「シンプルスキャン」アイコン６０８が押下される。すると、図示は省略するが、シンプルスキャン画面が、表示部１３２の表示面に表示される。これにより、スキャナモードが選択される。このシンプルスキャン画面においても、図１０に示されるシンプルファックス画面６１０におけるのと同様の「アドレス帳」ボタンが設けられる。そして、このシンプルスキャン画面における「アドレス帳」ボタンが押下されることによって、図１１に示されるのと同様の宛先設定画面が、表示部１３２の表示面に表示される。従って、このスキャナモードにおける宛先設定画面においても、任意の送信先を設定することができる。
【００９２】
この送信先の設定においては、任意のファクシミリ装置４のみならず、任意のメールアドレス、及び任意のＰＣ５のフォルダを、当該送信先として設定することもできる。また、図１０に示されるシンプルファックス画面６１０における「直接入力」ボタン６１４が押下されると、図示は省略するが、当該シンプルファックス画面６１０に代えて、直接入力画面が、表示部１３２の表示面に表示される。そして、この直接入力画面において、送信先のファクシミリ番号等が直接入力されることによっても、当該送信先の設定が行われる。この直接入力画面を表示させるための「直接入力」ボタンは、前述のシンプルスキャン画面にも、設けられている。従って、このシンプルスキャン画面における直接入力画面においても、任意の送信先の設定することができる。
【００９３】
さらに、ホーム画面６００などの右上部に設けられている「ジョブ状況」ボタン６５０が押下されると、図１７に示されるような送信履歴画面６６０が、表示部１３２の表示面に表示される。この図１７に示される送信履歴画面６６０は、通常送信及び同報送信を含む全ての送信に係る履歴を表す画面である。この図１７に示される送信履歴画面６６０によれば、「ファックス」タブ６６２が押下されると共に、「完了」ボタン６６４が押下されることによって、ファクシミリ送信機能による送信が完了したジョブの一覧６６２ａが表される。この一覧６６２ａ内の同報送信に係る履歴は、ファクシミリ送信機能により送信された送信先を含む、つまり送信先にファクシミリ装置４を含む、当該同報送信に係る履歴である。そして、この同報送信に係る履歴によれば、当該同報送信の開始時刻、原稿のページ数、及びそれぞれの送信先に対する送信結果が表示される。なお、図１７に示される送信履歴画面６６０において、「予約／実行中」ボタン６６６が押下されると、図示は省略するが、ファクシミリ送信機能による送信が予約されているジョブ、及び当該ファクシミリ送信機能による送信中のジョブの一覧が、表示される。また、図１７に示される送信履歴画面６６０において、「スキャナ」タブ６６８が押下されると、当該送信履歴画面６６０は、図１８に示されるような状態に遷移する。
【００９４】
図１８に示される送信履歴画面６６０は、ネットワーク送信機能（メール送信機能及びスキャナ送信機能）による送信が完了したジョブの一覧６６８ａを表す。そして、この一覧６６８ａにも、同報送信に係る履歴が含まれる。この同報送信に係る履歴は、ネットワーク送信機能により送信された送信先を含む履歴であり、つまり当該送信先にメールアドレス及びＰＣ５のフォルダの少なくとも一方を含む履歴である。この図１８に示される送信履歴画面６６０においても、「予約／実行中」ボタン６６６が押下されると、図示は省略するが、ネットワーク送信機能による送信が予約されているジョブ、及び当該ネットワーク送信機能による送信中のジョブの一覧が、表示される。
【００９５】
さらに、図１７における一覧６６２ａや図１８における一覧６６８ａなどの一覧において、任意の送信先名が押下されると、図１９に示されるような詳細表示画面６７０が、表示部１３２の表示面に表示される。この図１９に示される詳細表示画面６７０は、個々のジョブに係る詳細な情報を表す画面である。この図１９に示される詳細表示画面６７０によれば、「通信中」タブ６７２が押下されることによって、当該送信先に対する送信中である場合には、その詳細な情報が表される。この詳細な情報には、送信先の名称（連絡先名）、当該送信先を特定するための情報（宛先番号）、今現在の状況、適宜の管理番号、原稿のページ数、及び通信回線の種類が含まれる。なお、同報送信の場合には、通信回線の種類については、表示されず、言わば不特定とされる。また、同報送信の場合には、送信予約情報を通知するのかどうか、つまり送信予約表１０５１を送信するのかどうか、が表示される。そして、送信結果情報についても、これを通知するのかどうか、つまり送信結果表１０６１を送信するのかどうか、が表示される。さらに、送信結果表１０６１の通知が、閲覧先通知モードによるものである場合には、その旨についても、表示される。なお、この図１９に示される詳細表示画面６７０において、「待機中」タブ６７４が押下されると、送信先への送信が待機中である場合に、その詳細な情報が表示される。また、「通信失敗」タブ６７６が押下されると、送信先への送信が失敗した場合に、その詳細な情報が表示される。さらに、「宛先一覧」タブ６７８が押下されると、同報送信の宛先の一覧が表示される。
【００９６】
以上のように、本第１実施例によれば、同報送信が行われた場合に、当該同報送信の送信先に関する送信レポート情報が、全ての送信先に通知される。従って、それぞれの送信先において、同報送信に係る他の送信先を知ることができる。
【００９７】
なお、詳しい説明は省略するが、送信予約通知モード及び送信結果通知モード（結果表送信モード及び閲覧先通知モード）のいずれのモードによって送信レポート情報を通知するのかについては、任意に選択することができる。また、２以上のモードを選択することもできる。
［第２実施例］
次に、本発明の第２実施例について、説明する。
【００９８】
前述の第１実施例においては、同報送信に係る送信レポート情報が全ての送信先に通知されたが、本第２実施例においては、予め定められた条件に合致する特定の送信先にのみ当該送信レポート情報が通知される。
【００９９】
また、第１実施例においては、送信予約通知モードについて、閲覧先通知モードが設けられなかったが、本第２実施例においては、当該送信予約通知モードについても、閲覧先通知モードが設けられる。即ち、本第２実施例における送信予約通知モードは、予約表送信モードと閲覧先通知モードとを含む。この送信予約通知モードの予約表送信モードにおいては、第１実施例におけるのと同様の要領で送信レポート情報としての送信予約表１０５１が作成される。ただし、当該送信予約表１０５１は、後述する如く特定の送信先にのみ通知される。一方、送信予約通知モードの閲覧先通知モードにおいては、予約表送信モードと同じ要領で送信予約表１０５１が作成される。そして、この送信予約表１０５１は、送信結果表１０６１と同様の要領で格納され、つまり記憶部１００の送信レポート記憶部１００２に格納されると共に、ＨＤＤ１１０内のＮＡＳフォルダ１１０１に格納される。併せて、送信レポート記憶部１００２に格納される送信予約表１０５１については、その格納先を表すＦコードが、当該送信予約表１０５１に対応付けられた状態で当該送信レポート記憶部１００２に記憶される。その上で、この送信予約表１０５１の格納先を表す格納情報、つまりＦコード、或いはＮＡＳフォルダ１１０１のリンク先が、後述する如く特定の送信先にのみ報知される。
【０１００】
なお、送信予約表１０５１の格納先である記憶部１００の送信レポート記憶部１００２、及びＨＤＤ１１０内のＮＡＳフォルダ１１０１は、本発明に係る第１記憶手段の一例である。そして、この送信予約表１０５１の格納先を表すＦコード、及びＮＡＳフォルダ１１０１のリンク先は、本発明に係る第１格納情報の一例である。
【０１０１】
さらに、本第２実施例における送信結果通知モードは、第１実施例における送信結果通知モードと同様、結果表送信モードと閲覧先通知モードとを含む。ただし、本第２実施例における送信結果通知モードの結果表送信モードおいては、後述する如く特定の送信先にのみ送信レポート情報としての送信結果表１０６１が通知される。そして、本第２実施例における送信結果通知モードの閲覧先通知モードにおいては、送信結果表１０６１の格納先を表す格納情報、つまりＦコード、或いはＮＡＳフォルダ１１０１のリンク先が、後述する如く特定の送信先にのみ報知される。
【０１０２】
なお、送信結果表１０６１の格納先である送信レポート記憶部１００２、及びＮＡＳフォルダ１１０１は、本発明に係る第２記憶手段の一例でもある。そして、この送信結果表１０６１の格納先を表すＦコード、及びＮＡＳフォルダ１１０１のリンク先は、本発明に係る第２格納情報の一例である。
【０１０３】
これ以降、第１実施例と同様の部分についての説明は、省略する。また、表現の区別化のために、送信予約通知モードの閲覧先通知モードについては、「予約表閲覧先通知モード」と言い、送信結果通知モードの閲覧先通知モードについては、「結果表閲覧先通知モード」と言うことがある。
【０１０４】
本第２実施例においては、ユーザ操作に応じて、送信対象情報である画像情報に、その属性の１つとしての優先度（重要度）が設定される。併せて、これとは別に行われるユーザ操作に応じて、それぞれの送信先について、送信対象情報である画像情報の優先度がどのような場合に、送信レポート情報の通知の対象となるのかの、言わば通知条件の設定が行われる。これらの設定が行われることによって、送信レポート情報の通知の対象となる条件に合致する特定の送信先にのみ、当該送信レポート情報が通知される。
【０１０５】
具体的には、図１０に示されるシンプルファックス画面６１０において、その右上部にある「詳細」ボタン６８０が押下されると、当該シンプルファックス画面６１０に代えて、図２０に示されるような詳細ファックス画面６９０が、表示部１３２の表示面に表示される。そして、この詳細ファックス画面６９０において、その左下部にある「他の機能」ボタン６９２が押下されると、当該詳細ファックス画面６９０に代えて、図２１に示されるようなその他機能設定画面７００が、表示部１３２の表示面に表示される。
【０１０６】
なお、図２０に示される詳細ファックス画面６９０においても、「アドレス帳」ボタン６９４が設けられている。そして、この「アドレス帳」ボタン６９４が押下されることによっても、図１１に示される宛先設定画面６２０が、表示部１３２の表示面に表示される。また、前述のシンプルスキャン画面においても、図１０に示されるシンプルファックス画面６１０におけるのと同様の「詳細」ボタンが設けられている。そして、このシンプルスキャン画面における「詳細」ボタンが押下されることによって、図２０に示される詳細ファックス画面と同様の詳細スキャン画面が、表示部１３２の表示面に表示される。さらに、この詳細スキャン画面においても、図２０に示される詳細ファックス画面６９０におけるのと同様の「他の機能」ボタンが設けられている。そして、このスキャナモードに係る宛先設定画面における「他の機能」ボタンが押下されることによっても、図２１に示されるその他機能設定画面７００が、表示部１３２の表示面に表示される。
【０１０７】
この図２１に示されるその他機能設定画面７００においては、例えばその左下部に、「同報送信情報の通知」ボタン７０２が設けられている。そして、この「同報送信情報の通知」ボタン７０２が押下されると、図２２に示されるような優先度設定画面７１０が、表示部１３２の表示面に表示される。
【０１０８】
この図２２に示される優先度設定画面７１０は、送信対象情報である画像情報に前述の優先度を設定するための画面である。この優先度設定画面７１０において、例えば「優先度：高」ボタン７１２が押下されると、送信対象情報である画像情報の優先度が「高」に設定され、厳密には仮設定される。そして、「優先度：中」ボタン７１４が押下されると、画像情報の優先度が「中」に仮設定される。さらに、「優先度：低」ボタン７１６が押下されると、画像情報の優先度が「低」に仮設定される。そして、「通知しない」ボタン７１８が押下されると、送信レポート情報を通知しないこと、つまり送信レポート通知機能をオフ（無効化）することが、仮設定される。このような仮設定が行われた上で、「ＯＫ」ボタン７２０が押下されると、仮設定された内容が、正式に設定される。この設定は、制御部１０によって行われる。なお、この優先度設定画面７１０における各ボタン７１２〜７１８が押下されることが、本発明に係る第１のユーザ操作の一例である。そして、これら各ボタン７１２〜７１８の押下によって仮設定された内容を「ＯＫ」ボタン７２０の押下に応答して正式に設定する制御部１０は、本発明に係る第１設定手段の一例である。この「ＯＫ」ボタン７２０の押下によって、図２１に示されるその他機能設定画面７００が、改めて表示部１３２の表示面に表示される。即ち、表示部１３２の表示面の状態が、図２１に示されるその他機能設定画面７００が表示される状態に戻る。
【０１０９】
さらに、図２２に示される優先度設定画面７１０における右上寄りの部分にある「優先度と通知動作の関連設定」ボタン７２２が押下されると、当該優先度設定画面７１０に代えて、図２３に示されるような通知条件設定画面７３０が、表示部１３２の表示面に表示される。この通知条件設定画面７３０は、前述の宛先リストに登録されているそれぞれの送信先について、送信対象情報である画像情報の優先度がどのような場合に、送信レポート情報の通知の対象となるのかの通知条件を設定するための画面である。この通知条件の設定は、前述の送信予約通知モード及び送信結果通知モードのそれぞれについて行われ、つまり予約表送信モード、予約表閲覧先通知モード、結果表送信モード、及び結果表閲覧先通知モードというそれぞれのモード（通知態様）ごとに、行われる。
【０１１０】
図２３に示される通知条件設定画面７３０は、「予約（レポート送信）」タブ７３２が押下された状態を表す。この図２３に示される通知条件設定画面７３０によれば、予約表送信モードに関する通知条件の設定が行われる。即ち、この図２３に示される通知条件設定画面７３０は、宛先リストに登録されている送信先の一覧７３２ａを含む。そして、それぞれの送信先ごとに、４つのボタン７３２ｂ〜７３２ｅが設けられている。これら４つのボタン７３２ｂ〜７３２ｅは、それぞれの送信先について、どのような優先度の画像情報に係る送信レポート情報（ここでは送信予約表１０５１）に対して通知の対象となるのかを設定するための操作子である。例えば、「高」ボタン７３２ｂが押下されると、対応する送信先について、優先度が「高」以上の画像情報に係る送信レポート情報に対して通知の対象となることが設定され、厳密には仮設定される。そして、「中」ボタン７３２ｃが押下されると、対応する送信先について、優先度が「中」以上の画像情報に係る送信レポート情報に対して通知の対象となることが仮設定される。また、「低」ボタン７３２ｄが押下されると、対応する優先先について、優先度が「低」以上の画像情報に係る送信レポート情報に対して通知の対象となることが仮設定される。そして、「オフ」ボタン７３２ｅが押下されると、対応する送信先について、画像情報の優先度に拘らず、送信レポート情報の通知の対象とならないことが仮設定される。
【０１１１】
なお、図２３に示される通知条件設定画面７３０において、例えば「ＧＧＧ」という送信先に注目すると、この「ＧＧＧ」という送信先については、「高」ボタン７３２ｂが押下された状態を示す。この押下された「高」ボタン７３２ｂには、適当な修飾が施され、例えば適当な色彩が付される。そして、「ＨＨＨ」という送信先については、「中」ボタン７３２ｃが押下された状態を示す。この「中」ボタン７３２ｃが押下された送信先については、「高」ボタン７３２ｂも押下された状態となる。さらに、「ＫＫＫ」という送信先については、「低」ボタン７３２ｄが押下された状態を示す。この「低」ボタン７３２ｄが押下された送信先については、「高」ボタン７３２ｂ及び「中」ボタン７３２ｃも押下された状態となる。そして、「ＭＭＭ」という送信先については、「オフ」ボタン７３２ｅが押下された状態を示す。
【０１１２】
これら各ボタン７３２ｂ〜７３２ｅの押下によって仮設定が行われた上で、「ＯＫ」ボタン７３４が押下されると、仮設定された内容が、正式に設定される。この設定もまた、制御部１０によって行われる。この通知条件設定画面７３０における各ボタン７３２ｂ〜７３２ｅが押下されることが、本発明に係る第２のユーザ操作の一例である。そして、これら各ボタン７３２ｂ〜７３２ｅの押下によって仮設定された内容を「ＯＫ」ボタン７３４の押下に応答して正式に設定する制御部１０は、本発明に係る第２設定手段の一例である。この「ＯＫ」ボタン７３４の押下によって、図２２に示される優先度設定画面７１０が、改めて表示部１３２の表示面に表示される。即ち、表示部１３２の表示面の状態が、図２２に示される優先度設定画面７１０が表示される状態に戻る。因みに、図２３に示される通知条件設定画面７３０においては、送信先の一覧７３２ａにメールアドレスのみが表示されているが、これは、当該通知条件設定画面７３０における左下部にある「絞り込み」ボタン７３６による絞り込みが行われていることによる。即ち、この「絞り込み」ボタン７３６の操作によって、一覧７３２ａに表示される送信先を適宜に絞り込むことができる。
【０１１３】
さらに、図２３に示される通知条件設定画面７３０において、例えば「結果（閲覧先通知）」タブ７３８が押下されると、当該通知条件設定画面７３０は、図２４に示されるような状態に遷移する。この図２４に示される通知条件設定画面７３０は、結果表閲覧先通知モードに関する設定画面である。この図２４に示される通知条件設定画面７３０においても、送信先の一覧７３８ａが表示される。そして、それぞれの送信先ごとに、４つのボタン７３８ｂ〜７３８ｅが設けられている。なお、この図２４における送信先の一覧７３８ａには、前述の「絞り込み」ボタン７３６の操作によって、全ての送信先が表示されている。例えば、「ＱＱＱ」という送信先は、メールアドレスであり、「ＲＲＲ」という送信先は、ファクシミリ装置４であり、「ＳＳＳ」という送信先は、ＰＣ５のフォルダである。
【０１１４】
また、図示は省略するが、図２３又は図２４に示される通知条件設定画面７３０において、「予約（閲覧先通知）」タブ７４０が押下されると、当該通知条件設定画面７３０は、予約表閲覧先通知モードについての設定画面になる。そして、「結果（レポート送信）」タブ７４２が押下されると、通知条件設定画面７３０は、結果表送信モードについての設定画面になる。
【０１１５】
このような通知条件設定画面７３０における設定が行われることで、図２５に示されるような送信先テーブル７５０が作成され、例えば記憶部１００に記憶される。この送信先テーブル７５０において、例えば「ＧＧＧ」という送信先に注目すると、当該「ＧＧＧ」という送信先については、メールアドレスが設定されている。そして、この「ＧＧＧ」という送信先については、送信対象情報である画像情報の優先度が「高」以上であるときに、予約表送信モードによる送信レポート情報の通知が行われ、つまり送信予約表１０５１がメール送信機能によって送信される。併せて、この「ＧＧＧ」という送信先については、送信対象情報である画像情報の優先度が「高」以上であるときに、結果表送信モードによる送信レポート情報の通知が行われ、つまり送信結果表１０６１がメール送信機能によって送信される。その一方で、この「ＧＧＧ」という送信先については、予約表閲覧先通知モードによる送信レポート情報の通知は行われず、つまり送信予約表１０５１の格納先を表す格納情報の送信は行われない。また、この「ＧＧＧ」という送信先については、結果表閲覧先通知モードによる送信レポート情報の通知も行われず、つまり送信結果表１０６１の格納先を表す格納情報の送信は行われない。
【０１１６】
さらに例えば、「ＲＲＲ」という送信先に注目すると、当該「ＲＲＲ」という送信先については、ファクシミリ番号が設定されている。そして、この「ＲＲＲ」という送信先については、送信対象情報である画像情報の優先度が「低」以上であるときに、結果表送信モードによる送信レポート情報の通知のみが行われ、つまり送信結果表１０６１のみがファクシミリ送信機能によって送信される。そして、この「ＲＲＲ」という送信先については、予約表送信モードによる送信レポート情報の通知は行われず、つまり送信予約表１０５１は送信されない。また、この「ＲＲＲ」という送信先については、予約表閲覧先通知モードによる送信レポート情報の通知は行われず、つまり送信予約表１０５１の格納先を表す格納情報の送信は行われない。さらに、この「ＲＲＲ」という送信先については、結果表閲覧先通知モードによる送信レポート情報の通知も行われず、つまり送信結果表１０６１の格納先を表す格納情報の送信は行われない。
【０１１７】
また例えば、「ＳＳＳ」という送信先に注目すると、当該「ＳＳＳ」という送信先については、ＰＣ５のフォルダが設定されている。そして、この「ＳＳＳ」という送信先については、送信対象情報である画像情報の優先度が「中」以上であるときに、予約表送信モード、予約表閲覧先通知モード、結果表送信モード、及び結果表閲覧先通知モードの全てによる送信レポート情報の通知が行われる。即ち、送信予約表１０５１、当該送信予約表１０５１の格納先を表す格納情報、送信結果表１０６１、及び当該送信結果表１０６１の格納先を表す格納情報が、スキャナ送信機能によって当該「ＳＳＳ」という送信先に送信される。
【０１１８】
なお、図２５に示される送信先テーブル７５０において、長破線で囲まれている部分は、図２３に示される通知条件設定画面７３０の設定内容に対応する。そして、当該送信先テーブル７５０において、短破線（点線）で囲まれている部分は、図２４に示される通知条件設定画面７３０の設定内容に対応する。
【０１１９】
このような本第２実施例における画像形成装置１の制御部１０は、次のように動作する。この制御部１０の動作は、前述の第１実施例におけるのと同様、送信レポート通知機能のうちの送信予約通知モードと送信結果通知モードとによって、異なる。例えば、送信予約通知モードの場合、制御部１０は、前述の情報送信制御プログラムに従って、図２６〜図２９のフロー図に示される要領で、当該送信予約通知モードに応じた同報送信制御処理を行う。なお、本第２実施例の送信予約通知モードに応じた同報送信制御処理（図２６）におけるステップＳＳ２０１〜ステップＳ２０９は、前述の第１実施例の送信予約通知モードに応じた同報送信制御処理（図５）におけるステップＳ１〜ステップＳ９と同様である。従って、これらステップＳ２０１〜ステップＳ２０９についての説明は、省略する。また、この送信予約通知モードに応じた同報送信制御処理が実行される前に、図２３や図２４に示される通知条件設定画面７３０を用いての設定が行われ、つまり図２５に示される送信先テーブル７５０が作成される。
【０１２０】
制御部１０は、ステップＳ２０９において、全ての送信先が確定されると（Ｓ２０９−ＹＥＳ）、処理をステップＳ２１１に進める。このステップＳ２１１において、制御部１０は、図２２に示される優先度設定画面７１０を用いてのユーザ操作に応じて、送信対象情報としての画像情報の優先度の設定を受け付けると共に、この受け付けた優先度を記憶部１００に記憶する。そして、制御部１０は、処理をステップＳ２１３に進める。
【０１２１】
ステップＳ２１３において、制御部１０は、原稿の画像を読取部１２によって読み取らせるべく、当該読取部１２に画像読取処理を実行させる。その後、制御部１０は、処理をステップＳ２１５に進めて、送信予約表１０５１を作成する。そして、制御部１０は、処理をステップＳ２１７に進めて、当該送信予約表１０５１を一時的に記憶部１００に記憶する。その上で、制御部１０は、処理をステップＳ２１９に進めて、送信を開始し、つまり同報送信処理を開始する。
【０１２２】
この同報送信処理の開始に際して、制御部１０は、処理をステップＳ２２１に進めて、送信先がスキャナ送信機能による送信先（スキャナ宛先）であるかどうかを判定する。ここで例えば、送信先がスキャナ送信機能による送信先である場合（Ｓ２２１−ＹＥＳ）、制御部１０は、処理をステップＳ２２３に進める。
【０１２３】
ステップＳ２２３において、制御部１０は、今現在の送信先について、予約表送信モードによる送信レポート情報の通知が行われる設定（レポート送信オン）になっているかどうかを、判定する。この判定は、前述の送信先テーブル７５０を参照することで行われる。即ち、今現在の送信先について、送信先テーブル７５０における予約表送信モードによる送信レポート情報の通知の設定が「オフ」以外であれば、当該今現在の送信先について、予約表送信モードによる送信レポート情報の通知が行われる設定になっているものと判定される。ここで例えば、今現在の送信先が、予約表送信モードによる送信レポート情報の通知の対象が行われる設定になっている場合（Ｓ２２３−ＹＥＳ）、制御部１０は、処理をステップＳ２２５に進める。
【０１２４】
ステップＳ２２５において、制御部１０は、送信対象情報としての画像情報に設定されている優先度が、予約表送信モードについて今現在の送信先に設定されている優先度以上であるかどうかを判定する。この判定もまた、前述の送信先テーブル７５０を参照することで行われる。ここで例えば、画像情報に設定されている優先度が、予約表送信モードについて今現在の送信先に設定されている優先度以上である場合には（Ｓ２２５−ＹＥＳ）、つまりはそのような条件が満足される場合には、制御部１０は、処理をステップＳ２２７に進める。
【０１２５】
ステップＳ２２７において、制御部１０は、原稿の画像情報と送信予約表１０５１とを今現在の送信先への送信対象物として準備する。その上で、制御部１０は、処理をステップＳ２２９に進める。
【０１２６】
なお、前述のステップＳ２２３において、今現在の送信先が、予約表送信モードによる送信レポート情報の通知が行われる設定になっていない場合（Ｓ２２３−ＮＯ）、制御部１０は、処理をステップＳ２３１に進める。このステップＳ２３１において、制御部１０は、原稿の画像情報のみを今現在の送信先への送信対象物として準備する。そして、制御部１０は、処理をステップＳ２２９に進める。また、前述のステップＳ２２５において、送信対象情報としての画像情報に設定されている優先度が、予約表送信モードについて今現在の送信先に設定されている優先度以上でない場合も（Ｓ２２５−ＮＯ）、制御部１０は、処理をステップＳ２３１に進める。
【０１２７】
ステップＳ２２９において、制御部１０は、今現在の送信先について、予約表閲覧先通知モードによる通知が行われる設定（閲覧通知オン）になっているかどうかを、判定する。この判定もまた、前述の送信先テーブル７５０を参照することで行われる。即ち、今現在の送信先について、送信先テーブル７５０における予約表閲覧先通知モードによる通知の設定が「オフ」以外であれば、当該今現在の送信先について、予約表閲覧先通知モードによる通知が行われる設定になっているものと判定される。ここで例えば、今現在の送信先が、予約表閲覧先通知モードによる送信レポート情報の通知の対象が行われる設定になっている場合（Ｓ２２９−ＹＥＳ）、制御部１０は、処理をステップＳ２３３に進める。
【０１２８】
ステップＳ２３３において、制御部１０は、送信対象情報としての画像情報に設定されている優先度が、予約表閲覧先通知モードについて今現在の送信先に設定されている優先度以上であるかどうかを判定する。この判定もまた、前述の送信先テーブル７５０を参照することで行われる。ここで例えば、画像情報に設定されている優先度が、予約表閲覧先通知モードについて今現在の送信先に設定されている優先度以上である場合には（２３３−ＹＥＳ）、制御部１０は、処理をステップＳ２３５に進める。
【０１２９】
ステップＳ２３５において、制御部１０は、送信先にハイパーリンク先としてのメールアドレスが設定されているかどうかを判定する。ここで例えば、送信先にハイパーリンク先のメールアドレスが設定されている場合（Ｓ２３５−ＹＥＳ）、制御部１０は、処理をステップＳ２３７に進める。そして、このステップＳ２３７において、制御部１０は、送信予約表１０５１をＮＡＳフォルダ１１０１に格納する。そして、制御部１０は、処理をステップＳ２３９に進める。
【０１３０】
ステップＳ２３９において、制御部１０は、送信予約表１０５１の記憶先であるＮＡＳフォルダ１１０１のリンク先を表す格納情報（第１格納情報）を、送信対象物として追加する。そして、制御部１０は、処理をステップＳ２４１に進めて、ＮＡＳフォルダ１１０１のリンク先を表す格納情報が記載された電子メールを、ハイパーリンク先のメールアドレス宛に送信する。その上で、制御部１０は、処理をステップＳ２４３に進めて、送信対象物を送信先に送信する。
【０１３１】
なお、前述のステップＳ２２９において、今現在の送信先が、予約表閲覧先通知モードによる通知が行われる設定になっていない場合（Ｓ２２９−ＮＯ）、制御部１０は、処理をステップＳ２４３に進める。また、前述のステップＳ２３３において、送信対象情報としての画像情報に設定されている優先度が、予約表閲覧先通知モードについて今現在の送信先に設定されている優先度以上でない場合も（Ｓ２３３−ＮＯ）、制御部１０は、処理をステップＳ２４３に進める。さらに、前述のステップＳ２３５において、送信先にハイパーリンク先としてのメールアドレスが設定されていない場合も（Ｓ２３５−ＮＯ）、制御部１０は、処理をステップＳ２４３に進める。
【０１３２】
ステップＳ２４３の実行後、制御部１０は、処理をステップＳ２４５に進める。そして、このステップＳ２４５において、制御部１０は、次の送信先があるかどうかを、つまり全ての送信先に対して少なくとも画像情報が送信されたかどうかを、判定する。ここで例えば、次の送信先がある場合（Ｓ２４５−ＹＥＳ）、制御部１０は、処理をステップＳ２２１に戻す。一方、ステップＳ２４５において、次の送信先がない場合（Ｓ２４５−ＮＯ）、制御部１０は、処理をステップＳ２４７に進めて、同報送信処理を完了する。このステップＳ２４７の実行をもって、制御部１０は、送信予約通知モードによる同報送信制御処理を終了する。
【０１３３】
さらに、前述のステップＳ２２１において、送信先がスキャナ送信機能による送信先でない場合（Ｓ２２１−ＮＯ）、制御部１０は、処理をステップＳ２４９に進める。そして、このステップＳ２４９において、制御部１０は、送信先がメール送信機能による送信先であるかどうかを判定する。ここで例えば、送信先がメール送信機能による送信先である場合（Ｓ２４９−ＹＥＳ）、制御部１０は、処理をステップＳ２５１に進める。
【０１３４】
ステップＳ２５１において、制御部１０は、前述のステップＳ２２３と同様に、今現在の送信先について、予約表送信モードによる送信レポート情報の通知が行われる設定になっているかどうかを、判定する。ここで例えば、今現在の送信先が、予約表送信モードによる送信レポート情報の通知の対象が行われる設定になっている場合（Ｓ２５１−ＹＥＳ）、制御部１０は、処理をステップＳ２５３に進める。
【０１３５】
ステップＳ２５３において、制御部１０は、前述のステップＳ２２５と同様に、送信対象情報としての画像情報に設定されている優先度が、予約表送信モードについて今現在の送信先に設定されている優先度以上であるかどうかを判定する。ここで例えば、画像情報に設定されている優先度が、予約表送信モードについて今現在の送信先に設定されている優先度以上である場合には（Ｓ２５３−ＹＥＳ）、制御部１０は、処理をステップＳ２５５に進める。
【０１３６】
ステップＳ２５５において、制御部１０は、原稿の画像情報と送信予約表１０５１とを電子メールに添付して、今現在の送信先へ送信する。その上で、制御部１０は、処理をステップＳ２５７に進める。
【０１３７】
なお、前述のステップＳ２５１において、今現在の送信先が、予約表送信モードによる送信レポート情報の通知が行われる設定になっていない場合（Ｓ２５１−ＮＯ）、制御部１０は、処理をステップＳ２５９に進める。このステップＳ２５９において、制御部１０は、原稿の画像情報のみを電子メールに添付して、今現在の送信先へ送信する。そして、制御部１０は、処理をステップＳ２５７に進める。また、前述のステップＳ２５３において、送信対象情報としての画像情報に設定されている優先度が、予約表送信モードについて今現在の送信先に設定されている優先度以上でない場合も（Ｓ２５３−ＮＯ）、制御部１０は、処理をステップＳ２５９に進める。
【０１３８】
ステップＳ２５７において、制御部１０は、前述のステップＳ２２９と同様に、今現在の送信先について、予約表閲覧先通知モードによる通知が行われる設定になっているかどうかを、判定する。ここで例えば、今現在の送信先が、予約表閲覧先通知モードによる送信レポート情報の通知が行われる設定になっている場合（Ｓ２５７−ＹＥＳ）、制御部１０は、処理をステップＳ２６１に進める。
【０１３９】
ステップＳ２６１において、制御部１０は、前述のステップＳ２３３と同様に、送信対象情報としての画像情報に設定されている優先度が、予約表閲覧先通知モードについて今現在の送信先に設定されている優先度以上であるかどうかを判定する。ここで例えば、画像情報に設定されている優先度が、予約表閲覧先通知モードについて今現在の送信先に設定されている優先度以上である場合には（Ｓ２６１−ＹＥＳ）、制御部１０は、処理をステップＳ２６３に進める。
【０１４０】
ステップＳ２６３において、制御部１０は、前述のステップＳ２３７と同様に、送信予約表１０５１をＮＡＳフォルダ１１０１に格納する。そして、制御部１０は、処理をステップＳ２６５に進めて、送信予約表１０５１の格納先であるＮＡＳフォルダ１１０１のリンク先を表す格納情報（第１格納情報）が記載された電子メールを、今現在の送信先に送信する。その上で、制御部１０は、処理をステップＳ２４５に進める。
【０１４１】
なお、前述のステップＳ２５７において、今現在の送信先が、予約表閲覧先通知モードによる送信レポート情報の通知が行われる設定になっていない場合（Ｓ２５７−ＮＯ）、制御部１０は、処理をステップＳ２４５に進める。また、前述のステップＳ２６１において、送信対象情報としての画像情報に設定されている優先度が、予約表閲覧先通知モードについて今現在の送信先に設定されている優先度以上でない場合も（Ｓ２６１−ＮＯ）、制御部１０は、処理をステップＳ２４５に進める。
【０１４２】
さらに、前述のステップＳ２４９において、送信先がメール送信機能による送信先でない場合（Ｓ２４９−ＮＯ）、制御部１０は、処理をステップＳ２６７に進める。そして、このステップＳ２６７において、制御部１０は、送信先がファクシミリ送信機能による送信先であるかどうかを判定する。ここで例えば、送信先がファクシミリ送信機能による送信先である場合（Ｓ２６７−ＹＥＳ）、制御部１０は、処理をステップＳ２６９に進める。なお、ステップＳ２６７において、送信先がファクシミリ送信機能による送信先でない場合（Ｓ２６７−ＮＯ）、制御部１０は、処理をステップＳ２２１に戻す。
【０１４３】
ステップＳ２６９において、制御部１０は、前述のステップＳ２２３及びステップＳ２５１と同様に、今現在の送信先について、予約表送信モードによる送信レポート情報の通知が行われる設定になっているかどうかを、判定する。ここで例えば、今現在の送信先が、予約表送信モードによる送信レポート情報の通知の対象が行われる設定になっている場合（Ｓ２６９−ＹＥＳ）、制御部１０は、処理をステップＳ２７１に進める。
【０１４４】
ステップＳ２７１において、制御部１０は、前述のステップＳ２２５及びステップＳ２５３と同様に、送信対象情報としての画像情報に設定されている優先度が、予約表送信モードについて今現在の送信先に設定されている優先度以上であるかどうかを判定する。ここで例えば、画像情報に設定されている優先度が、予約表送信モードについて今現在の送信先に設定されている優先度以上である場合には（Ｓ２７１−ＹＥＳ）、制御部１０は、処理をステップＳ２７３に進める。
【０１４５】
ステップＳ２７３において、制御部１０は、原稿の画像情報に送信予約表１０５１を添付して、今現在の送信先へ送信する。このとき、制御部１０は、前述のＦコードを画像情報に付した状態で、当該画像情報を送信する。その上で、制御部１０は、処理をステップＳ２７５に進める。
【０１４６】
なお、前述のステップＳ２６９において、今現在の送信先が、予約表送信モードによる送信レポート情報の通知が行われる設定になっていない場合（Ｓ２６９−ＮＯ）、制御部１０は、処理をステップＳ２７７に進める。このステップＳ２７７において、制御部１０は、原稿の画像情報のみを、今現在の送信先へ送信する。このときも、制御部１０は、ステップＳ２７３と同様、Ｆコードを画像情報に付した状態で、当該画像情報を送信する。そして、制御部１０は、処理をステップＳ２７５に進める。また、前述のステップＳ２７１において、送信対象情報としての画像情報に設定されている優先度が、今現在の送信先に設定されている優先度以上でない場合も（Ｓ２７１−ＮＯ）、制御部１０は、処理をステップＳ２７７に進める。
【０１４７】
ステップＳ２７５において、制御部１０は、前述のステップＳ２２９及びステップＳ２５７と同様に、今現在の送信先について、予約表閲覧先通知モードによる通知が行われる設定になっているかどうかを、判定する。ここで例えば、今現在の送信先が、予約表閲覧先通知モードによる送信レポート情報の通知の対象が行われる設定になっている場合（Ｓ２７５−ＹＥＳ）、制御部１０は、処理をステップＳ２７９に進める。
【０１４８】
ステップＳ２７９において、制御部１０は、前述のステップＳ２３３及びステップＳ２６１と同様に、送信対象情報としての画像情報に設定されている優先度が、予約表閲覧先通知モードについて今現在の送信先に設定されている優先度以上であるかどうかを判定する。ここで例えば、画像情報に設定されている優先度が、予約表閲覧先通知モードについて今現在の送信先に設定されている優先度以上である場合には（２７９−ＹＥＳ）、制御部１０は、処理をステップＳ２８１に進める。
【０１４９】
ステップＳ２８１において、制御部１０は、前述の掲示板用メモリボックスとしての送信レポート記憶部１００２に送信予約表１０５１を記憶する。このとき、制御部１０は、送信予約表１０５１に前述のＦコードを対応付けた状態で、当該Ｆコードを送信レポート記憶部１００２に記憶する。その後、制御部１０は、処理をステップＳ２４５に進める。
【０１５０】
なお、前述のステップＳ２７５において、今現在の送信先が、予約表閲覧先通知モードによる送信レポート情報の通知が行われる設定になっていない場合（Ｓ２７５−ＮＯ）、制御部１０は、処理をステップＳ２４５に進める。また、前述のステップＳ２７９において、送信対象情報としての画像情報に設定されている優先度が、予約表閲覧先通知モードについて今現在の送信先に設定されている優先度以上でない場合も（Ｓ２７９−ＮＯ）、制御部１０は、処理をステップＳ２４５に進める。
【０１５１】
ところで、前述のステップＳ２７３またはステップ２７７が実行されることによって、ファクシミリ送信機能による送信先の全て（つまり全てのファックス宛先）に対して、Ｆコードが報知される。言い換えれば、予約表閲覧先通知モードによる通知が行われる設定になっていない送信先、及び、送信対象情報としての画像情報に設定されている優先度が予約表閲覧先通知モードについて設定されている優先度よりも低い関係にある送信先に対しても、Ｆコードが報知される。つまりは、Ｆコードを報知する必要のない送信先に対しても、当該Ｆコードが報知される。このような一種無意味なＦコードの報知を阻止するために、例えば次のような構成が採用されてもよい。
【０１５２】
即ち、ステップＳ２７３の前（ステップＳ２７１−ＹＥＳの後）に、ステップＳ２７５と同様のステップと、ステップＳ２７９と同様のステップと、の２つのステップが設けられる。そして、これら２つのステップのいずれにおいても肯定的な場合（ＹＥＳの場合）にのみ、ステップＳ２７３が実行され、つまりＦコードが付された画像情報と、この画像情報に添付された送信予約表１０５１とが、送信先に送信される。そして、ステップＳ２７３の実行後、ステップＳ２７５及びステップＳ２７９がスキップされて、ステップＳ２８１が実行される。一方、当該２つのステップの少なくともいずれかにおいて否定的な場合（ＮＯの場合）には、Ｆコードが付されない画像情報と、この画像情報に添付された送信予約表１０５１とが、送信先に送信される。その後、ステップＳ２７５、ステップＳ２７９及びステップＳ２８１がスキップされて、ステップＳ２４５が実行される。
【０１５３】
併せて、ステップＳ２７７の前（ステップＳ２６９−ＮＯの後及びステップＳ２７１−ＮＯの後）にも、ステップＳ２７５と同様のステップと、ステップＳ２７９と同様のステップと、の２つのステップが設けられる。そして、これら２つのステップのいずれにおいても肯定的な場合（ＹＥＳの場合）にのみ、ステップＳ２７７が実行され、つまりＦコードが付された画像情報のみが送信先に送信される。そして、ステップＳ２７７の実行後、ステップＳ２７５及びステップＳ２７９がスキップされて、ステップＳ２８１が実行される。一方、当該２つのステップの少なくともいずれかにおいて否定的な場合（ＮＯの場合）には、Ｆコードが付されない画像情報のみが送信先に送信され、その後、ステップＳ２７５、ステップＳ２７９及びステップＳ２８１がスキップされて、ステップＳ２４５が実行される。
【０１５４】
このような構成によれば、Ｆコードを報知する必要のある送信先に対してのみ、当該Ｆコードが報知される。即ち、前述のような無意味なＦコードの報知が阻止される。
【０１５５】
続いて、送信結果通知モードにおける制御部１０の動作について、説明する。この場合、制御部１０は、前述の情報送信制御プログラムに従って、図３０〜図３３のフロー図に示される要領で、当該送信結果通知モードに応じた同報送信制御処理を行う。なお、この送信結果通知モードに応じた同報送信制御処理（図３０）におけるステップＳ３０１〜ステップＳ３１３は、前述の送信予約通知モードに応じた同報送信制御処理（図２６）におけるステップＳ２０１〜ステップＳ２１３と同様であるので、これらについての説明は、省略する。また、この送信結果通知モードに応じた同報送信制御処理が実行される際にも、事前に、図２３や図２４に示される通知条件設定画面７３０を用いての設定が行われ、つまり図２５に示される送信先テーブル７５０が作成される。
【０１５６】
制御部１０は、ステップＳ３１３において、読取部１２に画像読取処理を実行させた後、処理をステップＳ３１５に進める。そして、このステップＳ３１５において、送信対象情報としての画像情報を各送信先に送信し、つまり同報送信処理を開始する。このとき、制御部１０は、ファクシミリ送信機能による送信先に対しては、前述のＦコードが付された画像情報を送信する。そして、制御部１０は、処理をステップＳ３１７に進めて、次の送信先があるかどうかを判定する。ここで例えば、次の送信先がある場合には（Ｓ３１７−ＹＥＳ）、制御部１０は、処理をステップＳ３１５に戻す。一方、次の送信先がない場合は（Ｓ３１７−ＮＯ）、制御部１０は、処理をステップＳ３１９に進める。
【０１５７】
ステップＳ３１９において、制御部１０は、同報送信処理を完了して、処理をステップＳ３２１に進める。そして、このステップＳ３２１において、制御部１０は、送信結果表１０６１を作成する。さらに、制御部１０は、処理をステップＳ３２３に進めて、ステップＳ３２１で作成された送信結果表１０６１を記憶部１００に一時的に記憶する。
【０１５８】
ステップＳ３２３の実行後、制御部１０は、処理をステップＳ３２５に進める。そして、このステップＳ３２５において、制御部１０は、送信結果表１０６１という送信レポート情報の通知を開始する。この通知の開始に際して、制御部１０は、処理をステップＳ３２７に進めて、送信先がスキャナ送信機能による送信先であるかどうかを判定する。ここで例えば、送信先がスキャナ送信機能による送信先である場合（Ｓ３２７−ＹＥＳ）、制御部１０は、処理をステップＳ３２９に進める。
【０１５９】
ステップＳ３２９において、制御部１０は、今現在の送信先について、結果表送信モードによる送信レポート情報の通知が行われる設定（レポート送信オン）になっているかどうかを、判定する。この判定は、前述の送信先テーブル７５０を参照することで行われる。即ち、今現在の送信先について、送信先テーブル７５０における結果表送信モードによる送信レポート情報の通知の設定が「オフ」以外であれば、当該今現在の送信先について、結果表送信モードによる送信レポート情報の通知が行われる設定になっているものと判定される。ここで例えば、今現在の送信先が、結果表送信モードによる送信レポート情報の通知の対象が行われる設定になっている場合（Ｓ３２９−ＹＥＳ）、制御部１０は、処理をステップＳ３３１に進める。
【０１６０】
ステップＳ３３１において、制御部１０は、送信対象情報としての画像情報に設定されている優先度が、結果表送信モードについて今現在の送信先に設定されている優先度以上であるかどうかを判定する。この判定もまた、前述の送信先テーブル７５０を参照することで行われる。ここで例えば、画像情報に設定されている優先度が、結果表送信モードについて今現在の送信先に設定されている優先度以上である場合には（Ｓ３３１−ＹＥＳ）、つまりはそのような条件が満足される場合には、制御部１０は、処理をステップＳ３３３に進める。
【０１６１】
ステップＳ３３３において、制御部１０は、送信結果表１０６１を今現在の送信先へ送信する。その上で、制御部１０は、処理をステップＳ３３５に進める。
【０１６２】
なお、前述のステップＳ３２９において、今現在の送信先が、結果表送信モードによる送信レポート情報の通知が行われる設定になっていない場合（Ｓ３２９−ＮＯ）、制御部１０は、処理をステップＳ３３５に進める。また、前述のステップＳ３３１において、送信対象情報としての画像情報に設定されている優先度が、結果表送信モードについて今現在の送信先に設定されている優先度以上でない場合も（Ｓ３３１−ＮＯ）、制御部１０は、処理をステップＳ３３５に進める。
【０１６３】
ステップＳ３３５において、制御部１０は、今現在の送信先について、結果表閲覧先通知モードによる通知が行われる設定（閲覧通知オン）になっているかどうかを、判定する。この判定もまた、前述の送信先テーブル７５０を参照することで行われる。即ち、今現在の送信先について、送信先テーブル７５０における結果表閲覧先通知モードによる通知の設定が「オフ」以外であれば、当該今現在の送信先について、結果表閲覧先通知モードによる通知が行われる設定になっているものと判定される。ここで例えば、今現在の送信先が、結果表閲覧先通知モードによる送信レポート情報の通知の対象が行われる設定になっている場合（Ｓ３３５−ＹＥＳ）、制御部１０は、処理をステップＳ３３７に進める。
【０１６４】
ステップＳ３３７において、制御部１０は、送信対象情報としての画像情報に設定されている優先度が、結果表閲覧先通知モードについて今現在の送信先に設定されている優先度以上であるかどうかを判定する。この判定もまた、前述の送信先テーブル７５０を参照することで行われる。ここで例えば、画像情報に設定されている優先度が、結果表閲覧先通知モードについて今現在の送信先に設定されている優先度以上である場合には（３３７−ＹＥＳ）、制御部１０は、処理をステップＳ３３９に進める。
【０１６５】
ステップＳ３３９において、制御部１０は、送信先にハイパーリンク先としてのメールアドレスが設定されているかどうかを判定する。ここで例えば、送信先にハイパーリンク先のメールアドレスが設定されている場合（Ｓ３３９−ＹＥＳ）、制御部１０は、処理をステップＳ３４１に進める。そして、このステップＳ３４１において、制御部１０は、送信結果表１０６１をＮＡＳフォルダ１１０１に格納する。そして、制御部１０は、処理をステップＳ３４３に進める。
【０１６６】
このステップＳ３４３において、制御部１０は、送信結果表１０６１の格納先であるＮＡＳフォルダ１１０１のリンク先を表す格納情報（第２格納情報）が記載された電子メールを、ハイパーリンク先のメールアドレス宛に送信する。その上で、制御部１０は、処理をステップＳ３４５に進める。
【０１６７】
ステップＳ３４５において、制御部１０は、次の送信先があるかどうかを、つまり全ての送信先に対して少なくとも画像情報が送信されたかどうかを、判定する。ここで例えば、次の送信先がある場合（Ｓ３４５−ＹＥＳ）、制御部１０は、処理をステップＳ３２７に戻す。一方、ステップＳ３４５において、次の送信先がない場合（Ｓ３４５−ＮＯ）、制御部１０は、処理をステップＳ３４７に進めて、送信結果表１０６１という送信レポート情報の通知を完了する。このステップＳ３４７の実行をもって、制御部１０は、送信結果通知モードによる同報送信制御処理を終了する。
【０１６８】
なお、前述のステップＳ３３５において、今現在の送信先が、結果表閲覧先通知モードによる通知の対象が行われる設定になっていない場合（Ｓ３３５−ＮＯ）、制御部１０は、処理をステップＳ３４５に進める。また、前述のステップＳ３３７において、送信対象情報としての画像情報に設定されている優先度が、結果表閲覧先通知モードについて今現在の送信先に設定されている優先度以上でない場合も（Ｓ３３７−ＮＯ）、制御部１０は、処理をステップＳ３４５に進める。さらに、前述のステップＳ３３９において、送信先にハイパーリンク先としてのメールアドレスが設定されていない場合も（Ｓ３３９−ＮＯ）、制御部１０は、処理をステップＳ３４５に進める。
【０１６９】
前述のステップＳ３２７において、送信先がスキャナ送信機能による送信先でない場合（Ｓ３２７−ＮＯ）、制御部１０は、処理をステップＳ３４９に進める。そして、このステップＳ３４９において、制御部１０は、送信先がメール送信機能による送信先であるかどうかを判定する。ここで例えば、送信先がメール送信機能による送信先である場合（Ｓ３４９−ＹＥＳ）、制御部１０は、処理をステップＳ３５１に進める。
【０１７０】
ステップＳ３５１において、制御部１０は、前述のステップＳ３２９と同様に、今現在の送信先について、結果表送信モードによる送信レポート情報の通知が行われる設定になっているかどうかを、判定する。ここで例えば、今現在の送信先が、結果表送信モードによる送信レポート情報の通知の対象が行われる設定になっている場合（Ｓ３５１−ＹＥＳ）、制御部１０は、処理をステップＳ３５３に進める。
【０１７１】
ステップＳ３５３において、制御部１０は、前述のステップＳ３３１と同様に、送信対象情報としての画像情報に設定されている優先度が、結果表送信モードについて今現在の送信先に設定されている優先度以上であるかどうかを判定する。ここで例えば、画像情報に設定されている優先度が、結果表送信モードについて今現在の送信先に設定されている優先度以上である場合には（Ｓ３５３−ＹＥＳ）、制御部１０は、処理をステップＳ３５５に進める。
【０１７２】
ステップＳ３５５において、制御部１０は、送信結果表１０６１を電子メールに添付して、今現在の送信先へ送信する。その上で、制御部１０は、処理をステップＳ３５７に進める。
【０１７３】
なお、前述のステップＳ３５１において、今現在の送信先が、結果表送信モードによる送信レポート情報の通知が行われる設定になっていない場合（Ｓ３５１−ＮＯ）、制御部１０は、処理をステップＳ３５７に進める。また、前述のステップＳ３５３において、送信対象情報としての画像情報に設定されている優先度が、結果表送信モードについて今現在の送信先に設定されている優先度以上でない場合も（Ｓ３５３−ＮＯ）、制御部１０は、処理をステップＳ３５７に進める。
【０１７４】
ステップＳ３５７において、制御部１０は、前述のステップＳ３３５と同様に、今現在の送信先について、結果表閲覧先通知モードによる通知が行われる設定になっているかどうかを、判定する。ここで例えば、今現在の送信先が、結果表閲覧先通知モードによる送信レポート情報の通知が行われる設定になっている場合（Ｓ３５７−ＹＥＳ）、制御部１０は、処理をステップＳ３５９に進める。
【０１７５】
ステップＳ３５９において、制御部１０は、前述のステップＳ３３７と同様に、送信対象情報としての画像情報に設定されている優先度が、結果表閲覧先通知モードについて今現在の送信先に設定されている優先度以上であるかどうかを判定する。ここで例えば、画像情報に設定されている優先度が、結果表閲覧先通知モードについて今現在の送信先に設定されている優先度以上である場合には（Ｓ３５９−ＹＥＳ）、制御部１０は、処理をステップＳ３６１に進める。
【０１７６】
ステップＳ３６１において、制御部１０は、前述のステップＳ３４１と同様に、送信結果表１０６１をＮＡＳフォルダ１１０１に格納する。そして、制御部１０は、処理をステップＳ３６３に進めて、送信結果表１０６１の格納先であるＮＡＳフォルダ１１０１のリンク先を表す格納情報（第２格納情報）が記載された電子メールを、今現在の送信先に送信する。その上で、制御部１０は、処理をステップＳ３４５に進める。
【０１７７】
なお、前述のステップＳ３５７において、今現在の送信先が、結果表閲覧先通知モードによる送信レポート情報の通知が行われる設定になっていない場合（Ｓ３５７−ＮＯ）、制御部１０は、処理をステップＳ３４５に進める。また、前述のステップＳ３５９において、送信対象情報としての画像情報に設定されている優先度が、結果表閲覧先通知モードについて今現在の送信先に設定されている優先度以上でない場合も（Ｓ３５９−ＮＯ）、制御部１０は、処理をステップＳ３４５に進める。
【０１７８】
また、前述のステップＳ３４９において、送信先がメール送信機能による送信先でない場合（Ｓ３４９−ＮＯ）、制御部１０は、処理をステップＳ３６５に進める。そして、このステップＳ３６５において、制御部１０は、送信先がファクシミリ送信機能による送信先であるかどうかを判定する。ここで例えば、送信先がファクシミリ送信機能による送信先である場合（Ｓ３６５−ＹＥＳ）、制御部１０は、処理をステップＳ３６７に進める。なお、ステップＳ３６５において、送信先がファクシミリ送信機能による送信先でない場合（Ｓ３６５−ＮＯ）、制御部１０は、処理をステップＳ３２７に戻す。
【０１７９】
ステップＳ３６７において、制御部１０は、前述のステップＳ３２９及びステップＳ３５１と同様に、今現在の送信先について、結果表送信モードによる送信レポート情報の通知が行われる設定になっているかどうかを、判定する。ここで例えば、今現在の送信先が、結果表送信モードによる送信レポート情報の通知の対象が行われる設定になっている場合（Ｓ３６７−ＹＥＳ）、制御部１０は、処理をステップＳ３６９に進める。
【０１８０】
ステップＳ３６９において、制御部１０は、前述のステップＳ３３１及びステップＳ３５３と同様に、送信対象情報としての画像情報に設定されている優先度が、結果表送信モードについて今現在の送信先に設定されている優先度以上であるかどうかを判定する。ここで例えば、画像情報に設定されている優先度が、結果表送信モードについて今現在の送信先に設定されている優先度以上である場合には（Ｓ３６９−ＹＥＳ）、制御部１０は、処理をステップＳ３７１に進める。
【０１８１】
ステップＳ３７１において、制御部１０は、送信結果表１０６１を、ファクシミリ送信機能によって今現在の送信先へ送信する。その上で、制御部１０は、処理をステップＳ３７３に進める。
【０１８２】
なお、前述のステップＳ３６７において、今現在の送信先が、結果表送信モードによる送信レポート情報の通知が行われる設定になっていない場合（Ｓ３６７−ＮＯ）、制御部１０は、処理をステップＳ３７３に進める。また、前述のステップＳ３６９において、送信対象情報としての画像情報に設定されている優先度が、結果表送信モードについて今現在の送信先に設定されている優先度以上でない場合も（Ｓ３６９−ＮＯ）、制御部１０は、処理をステップＳ３７３に進める。
【０１８３】
ステップＳ３７３において、制御部１０は、前述のステップＳ３３５及びステップＳ３５７と同様に、今現在の送信先について、結果表閲覧先通知モードによる通知が行われる設定になっているかどうかを、判定する。ここで例えば、今現在の送信先が、結果表閲覧先通知モードによる送信レポート情報の通知が行われる設定になっている場合（Ｓ３７３−ＹＥＳ）、制御部１０は、処理をステップＳ３７５に進める。
【０１８４】
ステップＳ３７５において、制御部１０は、前述のステップＳ３３７及びステップＳ３５９と同様に、送信対象情報としての画像情報に設定されている優先度が、結果表閲覧先通知モードについて今現在の送信先に設定されている優先度以上であるかどうかを判定する。ここで例えば、画像情報に設定されている優先度が、結果表閲覧先通知モードについて今現在の送信先に設定されている優先度以上である場合には（Ｓ３７５−ＹＥＳ）、制御部１０は、処理をステップＳ３７７に進める。
【０１８５】
ステップＳ３７７において、制御部１０は、前述の掲示板用メモリボックスとしての送信レポート記憶部１００２に送信結果表１０６１を記憶する。このとき、制御部１０は、送信結果表１０６１に前述のＦコードを対応付けた状態で、当該Ｆコードを送信レポート記憶部１００２に記憶する。その後、制御部１０は、処理をステップＳ３４５に進める。
【０１８６】
なお、前述のステップＳ３７３において、今現在の送信先が、結果表閲覧先通知モードによる送信レポート情報の通知が行われる設定になっていない場合（Ｓ３７３−ＮＯ）、制御部１０は、処理をステップＳ３４５に進める。また、前述のステップＳ３７５において、送信対象情報としての画像情報に設定されている優先度が、結果表閲覧先通知モードについて今現在の送信先に設定されている優先度以上でない場合も（Ｓ３７５−ＮＯ）、制御部１０は、処理をステップＳ３４５に進める。
【０１８７】
ところで、前述のステップＳ３１５においては、ファクシミリ送信機能による送信先の全て（つまり全てのファックス宛先）に対して、Ｆコードが報知される。言い換えれば、結果表閲覧先通知モードによる通知が行われる設定になっていない送信先、及び、送信対象情報としての画像情報に設定されている優先度が結果表閲覧先通知モードについて設定されている優先度よりも低い関係にある送信先に対しても、Ｆコードが報知される。つまりは、Ｆコードを報知する必要のない送信先に対しても、当該Ｆコードが報知される。このような無意味なＦコードの報知を阻止するために、例えば次のような構成が採用されてもよい。
【０１８８】
即ち、ステップＳ３１５において、ファクシミリ送信機能による送信先については、結果表閲覧先通知モードによる通知が行われる設定になっており、かつ、送信対象情報としての画像情報に設定されている優先度が結果表閲覧先通知モードについて設定されている優先度以上である場合にのみ、Ｆコードが付された画像情報が送信される。一方、それ以外の場合には、Ｆコードが付されない画像情報が送信される。
【０１８９】
このような構成によれば、Ｆコードを報知する必要のある送信先に対してのみ、当該Ｆコードが報知される。即ち、前述のような無意味なＦコードの報知が阻止される。
【０１９０】
以上のように、本第２実施例によれば、送信対象情報としての画像情報の優先度に基づいて、特定の送信先にのみ送信レポート情報が通知される。このことは例えば、送信レポート情報を通知する必要のある送信先に対してのみ、当該送信レポート情報を通知したい場合に、極めて有益である。
【０１９１】
なお、本第２実施例における優先度は、送信対象情報としての画像情報の属性の１つであるが、この優先度とは別の属性に基づいて、送信レポート情報の通知の対象となる送信先が決められてもよい。例えば、画像情報の容量や種類（写真、図面、文字などの違い）、形式（フォーマット）などに基づいて、送信レポート情報の通知の対象となる送信先が振り分けられてもよい。
【０１９２】
本第２実施例において、予約表送信モードによって送信レポート情報を特定の送信先へ通知する態様、つまり送信予約表１０５１を特定送信先へ送信する態様は、本発明に係る第１態様の一例である。そして、結果表送信モードによって送信レポート情報を特定送信先へ通知する態様、つまり送信結果表１０６１を特定送信先へ送信する態様は、本発明に係る第２態様の一例である。
【０１９３】
また、予約表閲覧先通知モードによれば、前述の如く送信予約表１０５１の記憶先を表す格納情報（第１格納情報）が特定送信先へ報知されるが、この報知を受けた特定送信先においては、必要なときに、当該送信予約表１０５１の閲覧要求をすることになる。そして、この閲覧要求に応答して、当該閲覧要求の発信元である特定送信先へ送信予約表１０５１が送信される。この予約表閲覧先通知モードにおける特定送信先からの閲覧要求は、本発明に係る第１閲覧要求の一例である。そして、この予約表閲覧先通知モードによって送信レポート情報を特定送信先へ通知する態様、つまり送信予約表１０５１を特定送信先へ送信する態様は、本発明に係る第３態様の一例である。
【０１９４】
さらに、結果表閲覧先通知モードによれば、前述の如く送信結果表１０６１の記憶先を表す格納情報（第２格納情報）が特定送信先へ報知されるが、この報知を受けた特定送信先においては、必要なときに、当該送信結果表１０６１の閲覧要求をすることになる。そして、この閲覧要求に応答して、当該閲覧要求の発信元である特定送信先へ送信結果表１０６１が送信される。この結果表閲覧先通知モードにおける特定送信先からの閲覧要求は、本発明に係る第２閲覧要求の一例である。そして、この結果表閲覧先通知モードによって送信レポート情報を特定送信先へ通知する態様、つまり送信結果表１０６１を特定送信先へ送信する態様は、本発明に係る第４態様の一例である。
［第３実施例］
次に、本発明の第３実施例について、説明する。
【０１９５】
前述の第２実施例においては、送信対象情報としての画像情報の優先度という当該画像情報の属性に基づいて、特定送信先が決められたが、本第３実施例においては、送信レポート情報の通知態様に基づいて、特定送信先が決められる。即ち、それぞれの送信先について、どのような通知態様の送信レポート情報に対して通知の対象となるのかの設定が行われる。そして、この設定内容に基づいて、送信レポート情報の通知が行われる。
【０１９６】
具体的には、本第３実施例においても、図２１に示されるその他機能設定画面７００が、表示部１３２の表示面に表示される。ただし、本第３実施例におけるその他機能設定画面７００の「同報送信情報の通知」ボタン７０２には、第２実施例におけるのとは異なる機能が割り当てられている。本第３実施例において、この「同報送信情報の通知」ボタン７０２が押下されると、図３４に示されるような通知動作設定画面８００が、表示部１３２の表示面に表示される。
【０１９７】
この図３４に示される通知動作設定画面８００は、送信レポート情報の態様ごとに、いずれの送信先へ当該送信レポート情報を通知するのかを設定するための画面である。そのために、この通知動作設定画面８００は、前述の送信予約通知モードに対応する「予約情報の通知」タブ８０２と、送信結果通知モードに対応する「結果情報の通知」タブ８０４とを、有する。図３４は、「予約情報の通知」タブ８０２が押下された状態を示す。これにより、送信予約通知モードに関する設定を行うことが可能になる。
【０１９８】
この図３４に示される通知動作設定画面８００においては、４つのボタン８０６〜８１２が設けられている。このうちの「通知しない」ボタン８０６が押下されると、送信予約通知モードによる送信レポート情報の通知機能をオフすること、つまり当該送信レポート情報としての送信予約表１０５１を送信しないことが、設定され、厳密には仮設定される。そして、「全ての宛先に通知する（レポート送信）」ボタン８０８が押下されると、送信予約通知モードのうちの予約表送信モードによる送信レポート情報の通知機能のみをオンすること、つまり全ての送信先へ送信予約表１０５１を送信することが、仮設定される。また、「全ての宛先に通知する（閲覧先通知）」ボタン８１０が押下されると、送信予約通知モードのうちの予約表閲覧先通知モードによる送信レポート情報の通知機能のみをオンすること、つまり全ての送信先へ送信予約表１０５１の記憶先を表す格納情報を送信することが、仮設定される。そして、「宛先ごとに設定する」ボタン８１２が押下されると、図３５に示されるような通知条件設定画面８３０が、表示部１３２の表示面に表示される。
【０１９９】
この図３５に示される通知条件設定画面８３０は、前述の宛先リストに登録されているそれぞれの送信先について、どのような通知態様の送信レポート情報に対して通知の対象となるのかの通知条件を設定するための画面である。この通知条件の設定は、前述の送信予約通知モード及び送信結果通知モードのそれぞれについて行われる。そのために、この通知条件設定画面８３０もまた、送信予約通知モードに対応する「予約情報の通知」タブ８３２と、送信結果通知モードに対応する「結果情報の通知」タブ８３４とを、有する。図３５は、「予約情報の通知」タブ８３２が押下された状態を示す。
【０２００】
この図３５に示される通知条件設定画面８３０によれば、送信予約通知モードに関する通知条件の設定を行うことができる。即ち、この図３５に示される通知条件設定画面８３０は、宛先リストに登録されている送信先の一覧８３２ａを含む。そして、それぞれの送信先ごとに、２つのボタン８３２ｂ及び８３２ｃが設けられている。このうちの例えば「レポート送信」ボタン８３２ｂは、対応する送信先について、予約表送信モードによる送信レポート情報の通知の対象となること、つまり送信予約表１０５１の送信対象となることを、設定するための操作子である。従って、この「レポート送信」ボタン８３２ｂが押下されると、対応する送信先について、予約表送信モードによる送信レポート情報の通知の対象となること、つまり送信予約表１０５１の送信対象となることが、設定され、厳密には仮設定される。一方、「閲覧先通知」ボタン８３２ｃは、対応する送信先について、予約表閲覧先通知モードによる送信レポート情報の通知の対象となること、つまり送信予約表１０５１の記憶先を表す格納情報の送信対象となることを、設定するための操作子である。従って、この「閲覧先通知」ボタン８３２ｃが押下されると、対応する送信先について、予約表閲覧先通知モードによる送信レポート情報の通知の対象となること、つまり送信予約表１０５１の記憶先を表す格納情報の送信対象となることが、仮設定される。
【０２０１】
なお、「レポート送信」ボタン８３２ｂ及び「閲覧先通知」ボタン８３２ｃのそれぞれは、押下されるたびに、オンされた状態とオフされた状態とに交互に遷移する。そして、これら「レポート送信」ボタン８３２ｂ及び「閲覧先通知」ボタン８３２ｃのそれぞれは、オンされた状態になると、適当な修飾が施され、例えば適当な色彩が付される。因みに、図３５に示される通知条件設定画面８３０において、例えば「ＧＧＧ」という送信先に注目すると、この「ＧＧＧ」という送信先ついては、「レポート送信」ボタン８３２ｂ及び「閲覧先通知」ボタン８３２ｃの両方がオンされた状態を示す。そして、「ＨＨＨ」という送信先については、「レポート送信」ボタン８３２ｂ及び「閲覧先通知」ボタン８３２ｃの両方がオフされた状態を示す。さらに、「ＫＫＫ」という送信先については、「レポート送信」ボタン８３２ｂのみがオンされた状態を示す。また、「ＭＭＭ」という送信先については、「閲覧先通知」ボタン８３２ｃのみがオンされた状態を示す。
【０２０２】
これら「レポート送信」ボタン８３２ｂ及び「閲覧先通知」ボタン８３２ｃの押下によって仮設定が行われた上で、「ＯＫ」ボタン８３６が押下されると、図３４に示される通知動作設定画面８００が、改めて表示部１３２の表示面に表示される。即ち、表示部１３２の表示面の状態が、図３４に示される通知動作設定画面８００が表示される状態に戻る。因みに、図３５に示される通知条件設定画面８３０においては、送信先の一覧８３２ａにメールアドレスのみが表示されているが、これは、当該通知条件設定画面８３０における左下部にある「絞り込み」ボタン８３８による絞り込みが行われていることによる。即ち、この「絞り込み」ボタン８３８の操作によって、一覧８３２ａに表示される送信先を適宜に絞り込むことができる。
【０２０３】
また、図３４に示される通知動作設定画面８００において、「結果情報の通知」タブ８０４が押下されると、図示は省略するが、当該通知動作設定画面８００は、送信結果通知モードに関する設定を行う状態となる。そして、この「結果情報の通知」タブ８０４が押下された通知動作設定画面８００においても、図３４に示されるのと同様の「通知しない」ボタン、「全ての宛先に通知する（レポート送信）」ボタン、「全ての宛先に通知する（閲覧先通知）」ボタン、及び「宛先ごとに設定する」ボタンが設けられる。そして、「宛先ごとに設定する」ボタンが押下されると、図３６に示されるような通知条件設定画面８３０が、表示部１３２の表示面に表示される。なお、この図３６に示される通知条件設定画面８３０は、図３５に示される通知条件設定画面８３０において、「結果情報の通知」タブ８３４が押下されることによっても、表示される。
【０２０４】
この図３６に示される通知条件設定画面８３０によれば、送信結果通知モードに関する通知条件の設定を行うことができる。即ち、この図３６に示される通知条件設定画面８３０においても、送信先の一覧８３４ａが表示されている。そして、それぞれの送信先ごとに、２つのボタン８３４ｂ及び８３４ｃが設けられている。なお、この図３６における送信先の一覧８３４ａには、前述の「絞り込み」ボタン８３８の操作によって、全ての送信先が表示されている。
【０２０５】
この図３６における「レポート送信」ボタン８３４ｂは、対応する送信先について、結果表送信モードによる送信レポート情報の通知の対象となること、つまり送信結果表１０６１の送信対象となることを、設定するための操作子である。従って、この「レポート送信」ボタン８３４ｂがオンされると、対応する送信先について、結果表送信モードによる送信レポート情報の通知の対象となること、つまり送信結果表１０６１の送信対象となることが、設定され、厳密には仮設定される。一方、「閲覧先通知」ボタン８３４ｃは、対応する送信先について、結果表閲覧先通知モードによる送信レポート情報の通知の対象となること、つまり送信結果表１０６１の記憶先を表す格納情報の送信対象となることを、設定するための操作子である。従って、この「閲覧先通知」ボタン８３４ｃがオンされると、対応する送信先について、結果表閲覧先通知モードによる送信レポート情報の通知の対象となること、つまり送信結果表１０６１の記憶先を表す格納情報の送信対象となることが、仮設定される。
【０２０６】
この図３６に示される通知条件設定画面８３０において、例えば「ＱＱＱ」という送信先に注目すると、この「ＱＱＱ」という送信先ついては、「レポート送信」ボタン８３４ｂ及び「閲覧先通知」ボタン８３４ｃｃの両方がオンされた状態を示す。そして、「ＲＲＲ」という送信先については、「レポート送信」ボタン８３４ｂ及び「閲覧先通知」ボタン８３４ｃの両方がオフされた状態を示す。さらに、「ＳＳＳ」という送信先については、「レポート送信」ボタン８３４ｂのみがオンされた状態を示す。また、「ＴＴＴ」という送信先については、「閲覧先通知」ボタン８３４ｃのみがオンされた状態を示す。
【０２０７】
これら「レポート送信」ボタン８３４ｂ及び「閲覧先通知」ボタン８３４ｃの押下によって仮設定が行われた上で、「ＯＫ」ボタン８３６が押下されると、図３４に示される通知動作設定画面８００が、改めて表示部１３２の表示面に表示される。そして、この通知動作設定画面８００において、「ＯＫ」ボタン８３６が押下されると、図２１に示されるその他機能設定画面７００が、改めて表示部１３２の表示面に表示される。併せて、当該「ＯＫ」ボタン８３６の押下によって、図３５及び図３６のそれぞれに示される通知条件設定画面８３０を用いて仮設定された内容が、正式に設定される。この設定は、制御部１０によって行われる。なお、通知条件設定画面８３０を用いて仮設定を行う操作が、本発明に係る第３のユーザ操作の一例である。そして、この仮設定された内容を「ＯＫ」ボタン８３６の押下に応答して正式に設定する制御部１０は、本発明に係る第３設定手段の一例である。
【０２０８】
このような通知条件の設定が行われることで、図３７に示されるような送信先テーブル８５０が作成され、例えば記憶部１００に記憶される。この送信先テーブル８５０において、例えば「ＧＧＧ」という送信先に注目すると、当該「ＧＧＧ」という送信先については、予約表送信モード、予約表閲覧先通知モード、結果表送信モード、及び結果表閲覧先通知モードの全てのモードによる通知機能がオンされている。従って、この「ＧＧＧ」という送信先については、全ての通知モードによって送信レポート情報の通知が行われる。また例えば、「ＨＨＨ」という送信先については、予約表送信モード、予約表閲覧先通知モード、結果表送信モード、及び結果表閲覧先通知モードの全てのモードによる通知機能がオフされている。従って、この「ＧＧＧ」という送信先については、送信レポート情報の通知は一切行われない。そして例えば、「ＫＫＫ」という送信先については、予約表送信モード及び結果表送信モードによる通知機能がオンされており、予約表閲覧先通知モード及び結果表閲覧先通知モードによる通知機能がオフされている。従って、この「ＫＫＫ」という送信先については、予約表送信モード及び結果表送信モードのみによって送信レポート情報の通知が行われ、予約表閲覧先通知モード及び結果表閲覧先通知モードによる送信レポート情報の通知は行われない。
【０２０９】
なお、図３７に示される送信先テーブル８５０において、長破線で囲まれている部分は、図３５に示される通知条件設定画面８３０の設定内容に対応する。そして、当該送信先テーブル８５０において、短破線（点線）で囲まれている部分は、図３６に示される通知条件設定画面８３０の設定内容に対応する。
【０２１０】
また、詳しい説明は省略するが、本第３実施例における画像形成装置１の制御部１０の動作の流れを図示すると、例えば前述の第２実施例についての図２６〜図３３に示されるフロー図において、画像情報の優先度の判定を行うステップ（Ｓ２２５，Ｓ２３３，Ｓ２５３，Ｓ２６１，Ｓ２７１，Ｓ２７９，Ｓ３３１，Ｓ３３７，Ｓ３５３，Ｓ３５９，Ｓ３６９及びＳ３７５）を排除した形になる。
【０２１１】
以上のように、本第３実施例によれば、送信レポート情報の通知態様に基づいて、特定の送信先にのみ送信レポート情報が通知される。このことは、第２実施例と同様、送信レポート情報を通知する必要のある送信先に対してのみ、当該送信レポート情報を通知したい場合に、極めて有益である。
【０２１２】
以上の各実施例は、本発明の具体例であり、本発明の技術的範囲を限定するものではない。これら各実施例以外の局面にも、本発明を適用することができる。
【０２１３】
例えば、前述の各実施例における画像形成装置１は、本発明に係る画像処理装置の一例であり、また、情報送信制御装置の一例でもあるが、当該画像形成装置１以外の装置にも、本発明を適用することができる。加えて、画像形成装置１の制御部１０に実行させる制御プログラム、とりわけ情報送信制御プログラムのみを、提供することもできる。
【０２１４】
さらに、本発明は、前述の同報送信機能と同じ要領で同報送信処理を行う同報送信ステップと、送信レポート通知機能と同じ要領で送信レポート情報を通知する送信レポート通知ステップと、を備える情報送信制御方法を、提供することもできる。
【０２１５】
そして、送信予約表１０５１については、同報送信処理の前に作成されるのではなく、当該同報送信処理と並行して作成されてもよい。送信結果表１０６１についても同様に、同報送信処理の後に作成されるのではなく、当該同報送信処理と並行して作成されてもよい。
【０２１６】
また、送信先として、例えばネットワーク３に接続されるファクシミリ装置、いわゆるインターネットファックスを、備える構成にも、本発明を適用することができる。
【符号の説明】
【０２１７】
１  …画像形成装置
１０  …制御部
１２  …読取部
１００  …記憶部
１０１  …宛先設定部
１０２  …送信情報設定部
１０３  …送信処理部
１０４  …送信レポート通知部
１０５  …予約表通知部
１０６  …結果表通知部
１０７  …閲覧処理部
２０１  …ファクシミリ通信部
３０１  …ネットワーク通信部
１００２  送信レポート記憶部
１１０１  ＮＡＳフォルダ
【図１】
2018056987.tif 000003
【図２】
2018056987.tif 000004
【図３】
2018056987.tif 000005
【図４】
2018056987.tif 000006
【図５】
2018056987.tif 000007
【図６】
2018056987.tif 000008
【図７】
2018056987.tif 000009
【図８】
2018056987.tif 000010
【図９】
2018056987.tif 000011
【図１０】
2018056987.tif 000012
【図１１】
2018056987.tif 000013
【図１２】
2018056987.tif 000014
【図１３】
2018056987.tif 000015
【図１４】
2018056987.tif 000016
【図１５】
2018056987.tif 000017
【図１６】
2018056987.tif 000018
【図１７】
2018056987.tif 000019
【図１８】
2018056987.tif 000020
【図１９】
2018056987.tif 000021
【図２０】
2018056987.tif 000022
【図２１】
2018056987.tif 000023
【図２２】
2018056987.tif 000024
【図２３】
2018056987.tif 000025
【図２４】
2018056987.tif 000026
【図２５】
2018056987.tif 000027
【図２６】
2018056987.tif 000028
【図２７】
2018056987.tif 000029
【図２８】
2018056987.tif 000030
【図２９】
2018056987.tif 000031
【図３０】
2018056987.tif 000032
【図３１】
2018056987.tif 000033
【図３２】
2018056987.tif 000034
【図３３】
2018056987.tif 000035
【図３４】
2018056987.tif 000036
【図３５】
2018056987.tif 000037
【図３６】
2018056987.tif 000038
【図３７】
2018056987.tif 000039